(57)【特許請求の範囲】
【請求項１】
燃料油に、一般式（１）で表される錆止め剤、サリチリデン誘導体、フェノール系酸化防止剤及びアミン系清浄分散剤を含有してなる燃料油組成物であって、一般式（１）において、ａおよびｃのうちいずれか一方が０で表される化合物を５０質量％以上含有することを特徴とする燃料油組成物。
【化１】
0004648525.tif 000026
（一般式（１）において、Ｒ１及びＲ２は、それぞれ別個に炭素数１〜３０の炭化水素基を表し、Ｒ３、Ｒ４及びＲ５は、それぞれ別個に炭素数２〜６のアルキレン基を表し、ａは０または１を表し、ｂは０〜５の整数を表し、そしてｃは０または１を表す。）
【発明の詳細な説明】
【０００１】
【発明の属する技術分野】
本発明は、錆止め性能、酸化防止性能、金属不活性化性能およびガソリンエンジンの吸気系および燃焼室内の清浄性能に優れた燃料油添加剤を含有してなる燃料油組成物に関するものである。
【０００２】
【従来の技術】
ガソリンや軽油などの燃料油には、一般に種々の目的で各種添加剤が添加されている。このような添加剤としては、例えば燃料配管、燃料ポンプ等の金属の腐食を防止するための錆止め剤、ガソリンや軽油の酸化による劣化を防止するための酸化防止剤、ガソリンや軽油に微量に混入する銅などの金属を不活性な状態にして燃料の酸化を防止するための金属不活性化剤などがある。また、内燃エンジンの燃料系統や燃焼室内にスラッジやデポジットなどの沈積物が生じると、エンジンの機能が低下したり、排気ガス中の一酸化炭素濃度や未燃炭化水素濃度が上昇するなどの不都合が起こる。このため、気化器または電子制御式噴射装置、吸気弁などのデポジットの除去や付着防止を主な目的として、ガソリンなどの燃料油には、ポリエーテルアミン系やポリアミン系などのガソリン清浄剤を添加する場合も多い。
【０００３】
特開平９−２０８９７１号公報には、アルケニルコハク酸を５〜３０重量％含有するアルケニルコハク酸系錆止め剤と少なくとも一種のアミン系添加剤、例えば、アミン系清浄剤、アミン系金属不活性剤及びアミン系酸化防止剤の添加剤とからなる燃料油添加剤が提案されている。この発明によると、錆止め剤とその他のアミン系添加剤を併用した場合でも、低含有量のアルケニルコハク酸を含む錆止め剤を用いることにより、コハク酸とアミンの塩基との反応を抑制することができ、従って、各添加剤の性能の低下を防止でき、また該反応により生成した不溶解物による沈殿の発生を防止できるとされている。そして上記公報には、アミン系清浄剤としてポリブテニルアミン、ポリエーテルアミンが、アミン系金属不活性剤としてN, N'―ジサリチリデン―１，２−ジアミノプロパンが、アミン系酸化防止剤としてN, N'―ジ―sec−ブチル―p−フェニレンジアミンがそれぞれ代表例として用いられた例が記載されている。
【０００４】
【発明が解決しようとする課題】
自動車製造会社の新車工場において充填される燃料等の一部の特殊な用途の燃料では、使用されるまでの期間が通常の燃料に比べ長いために、特に酸化防止性能をより長く持続させる必要から酸化防止剤を他の成分に比べて多量に添加する場合がある。このような燃料油の場合、従来知られている組成物では、沈殿物を生じやすく、フィルターの目詰まりを発生させるなどの問題があった。
そこで、本発明は、このような実情に鑑みなされたものであり、その目的は、錆止め剤、金属不活性剤、酸化防止剤、そして清浄剤の四成分を含有する燃料油組成物において、個々の添加剤の性能が十分に維持され、かつ添加剤同士の反応による燃料油に不溶な沈殿物の生成も生じにくく、特に長期間の酸化劣化防止機能に優れた燃料油組成物を提供することにある。
【０００５】
【課題を解決するための手段】
本発明者らは、特に長期間の酸化劣化防止機能に優れた燃料油組成物を開発すべく研究を重ねた結果、例えば、アルケニルコハク酸無水物とアルキレングリコールを反応させてなる錆止め剤、またはアルケニルコハク酸無水物とアルキレンオキサイドを反応させた後水を反応させてなる錆止め剤と金属不活性化剤、酸化防止剤、そして清浄剤とを併用した系においては、酸化防止剤として、アミン系の代わりにフェノール系の添加剤を使用することで上記問題が解消された燃料油組成物を製造できることを見出した。特に例えば、アルケニルコハク酸ハーフエステルを主成分とする錆止め剤を使用することで、酸化防止剤を大量に含む場合でも沈殿物の生成を更に低減できることを見出した。
【０００６】
本発明は、燃料油に、一般式（１）で表される錆止め剤、サリチリデン誘導体、フェノール系酸化防止剤及びアミン系清浄分散剤を含有してなる燃料油組成物であって、一般式（１）において、ａおよびｃのうちいずれか一方が０で表される化合物を５０質量％以上含有することを特徴とする燃料油組成物にある。
【０００７】
【化２】
0004648525.tif 000002
（一般式（１）において、Ｒ1及びＲ2は、それぞれ別個に炭素数１〜３０の炭化水素基を表し、Ｒ3、Ｒ4及びＲ5は、それぞれ別個に炭素数２〜６のアルキレン基を表し、ａは０または１を表し、ｂは０〜５の整数を表し、そしてｃは０または１を表す。）
【０００８】
【発明の実施の形態】
本発明の燃料油組成物は、燃料油に、一般式（１）で表される錆止め剤、サリチリデン誘導体、フェノール系酸化防止剤及びアミン系清浄分散剤を含有してなるものである。
以下にこれらの成分について順に説明する。
本発明に用いる錆止め剤は、一般式（１）で表される化合物である。
【０００９】
【化３】
0004648525.tif 000003
上記Ｒ1及びＲ2は、それぞれ別個に炭素数１〜３０の炭化水素基を表す。Ｒ3、Ｒ4及びＲ5は、それぞれ別個に炭素数２〜６のアルキレン基を表す。ａは０または１を表し、ｂは０〜５の整数を表し、そしてｃは０または１を表す。
上記一般式（１）において、ａ、ｂ、及びｃがともに０の場合には、一般式（１）は下記一般式（２）で表される。
【００１０】
【化４】
0004648525.tif 000004
上記Ｒ1は炭素数１〜３０の炭化水素基を表す。
【００１１】
上記一般式（１）（一般式（２）を含む）で表される錆止め剤について詳述する。
炭素数１〜３０の炭化水素基で表されるＲ1及びＲ2の好ましい例としては、炭素数１〜２４の直鎖状または分枝状のアルキル基、炭素数５〜１３のシクロアルキル基又はアルキルシクロアルキル基（アルキル置換シクロアルキル基、以下同様である）、炭素数２〜２４の直鎖状又は分枝状のアルケニル基、炭素数６〜１８のアリール基またはアルキルアリール基（アルキル置換アリール基、以下同様である）、及び炭素数７〜１９のアリールアルキル基（アリール置換アルキル基、以下同様である）を挙げることができる。
【００１２】
上記アルキル基の好ましい例としては、メチル基、エチル基、ｎ−プロピル基、イソプロピル基、ｎ−ブチル基、イソブチル基、ｓｅｃ−ブチル基、ｔｅｒｔ−ブチル基、直鎖または分枝ペンチル基、直鎖または分枝ヘキシル基、直鎖または分枝ヘプチル基、直鎖または分枝オクチル基、直鎖または分枝ノニル基、直鎖または分枝デシル基、直鎖または分枝ウンデシル基、直鎖または分枝ドデシル基、直鎖または分枝トリデシル基、直鎖または分枝テトラデシル基、直鎖または分枝ペンタデシル基、直鎖または分枝ヘキサデシル基、直鎖または分枝ヘプタデシル基、直鎖または分枝オクタデシル基、直鎖または分枝ノナデシル基、直鎖または分枝イコシル基、直鎖または分枝ヘンイコシル基、直鎖または分枝ドコシル基、直鎖または分枝トリコシル基及び直鎖または分枝テトラコシル基などが挙げられる。
【００１３】
上記シクロアルキル基の好ましい例としては、シクロペンチル基、シクロヘキシル基、シクロヘプチル基などが挙げられ、また同じく上記アルキルシクロアルキル基の好ましい例としては、メチルシクロペンチル基、ジメチルシクロペンチル基（すべての置換異性体を含む）、エチルシクロペンチル基（すべての置換異性体を含む）、直鎖または分枝プロピルシクロペンチル基（すべての置換異性体を含む）、エチルメチルシクロペンチル基（すべての置換異性体を含む）、トリメチルシクロペンチル基（すべての置換異性体を含む）、ジエチルシクロペンチル基（すべての置換異性体を含む）、エチルジメチルシクロペンチル基（すべての置換異性体を含む）、直鎖または分枝プロピルメチルシクロペンチル基（すべての置換異性体を含む）、直鎖または分枝プロピルエチルシクロペンチル基（すべての置換異性体を含む）、ジ−直鎖または分枝プロピルシクロペンチル基（すべての置換異性体を含む）、直鎖または分枝プロピルエチルメチルシクロペンチル基（すべての置換異性体を含む）、メチルシクロヘキシル基（すべての置換異性体を含む）、ジメチルシクロヘキシル基（すべての置換異性体を含む）、エチルシクロヘキシル基（すべての置換異性体を含む）、直鎖または分枝プロピルシクロヘキシル基（すべての置換異性体を含む）、エチルメチルシクロヘキシル基（すべての置換異性体を含む）、トリメチルシクロヘキシル基（すべての置換異性体を含む）、ジエチルシクロヘキシル基（すべての置換異性体を含む）、エチルジメチルシクロヘキシル基（すべての置換異性体を含む）、直鎖または分枝プロピルメチルシクロヘキシル基（すべての置換異性体を含む）、直鎖または分枝プロピルエチルシクロヘキシル基（すべての置換異性体を含む）、ジ−直鎖または分枝プロピルシクロヘキシル基（すべての置換異性体を含む）、直鎖または分枝プロピルエチルメチルシクロヘキシル基（すべての置換異性体を含む）、メチルシクロヘプチル基（すべての置換異性体を含む）、ジメチルシクロヘプチル基（すべての置換異性体を含む）、エチルシクロヘプチル基（すべての置換異性体を含む）、直鎖または分枝プロピルシクロヘプチル基（すべての置換異性体を含む）、エチルメチルシクロヘプチル基（すべての置換異性体を含む）、トリメチルシクロヘプチル基（すべての置換異性体を含む）、ジエチルシクロヘプチル基（すべての置換異性体を含む）、エチルジメチルシクロヘプチル基（すべての置換異性体を含む）、直鎖または分枝プロピルメチルシクロヘプチル基（すべての置換異性体を含む）、直鎖または分枝プロピルエチルシクロヘプチル基（すべての置換異性体を含む）、ジ−直鎖または分枝プロピルシクロヘプチル基（すべての置換異性体を含む）及び直鎖または分枝プロピルエチルメチルシクロヘプチル基（すべての置換異性体を含む）などが挙げられる。
【００１４】
上記アルケニル基の好ましい例としては、ビニル基、プロペニル基、イソプロペニル基、直鎖または分枝ブテニル基、直鎖または分枝ペンテニル基、直鎖または分枝ヘキセニル基、直鎖または分枝ヘプテニル基、直鎖または分枝オクテニル基、直鎖または分枝ノネニル基、直鎖または分枝デセニル基、直鎖または分枝ウンデセニル基、直鎖または分枝ドデセニル基、直鎖または分枝トリデセニル基、直鎖または分枝テトラデセニル基、直鎖または分枝ペンタデセニル基、直鎖または分枝ヘキサデセニル基、直鎖または分枝ヘプタデセニル基、オレイル基などの直鎖または分枝オクタデセニル基、直鎖または分枝ノナデセニル基、直鎖または分枝イコセニル基、直鎖または分枝ヘンイコセニル基、直鎖または分枝ドコセニル基、直鎖または分枝トリコセニル基及び直鎖または分枝テトラコセニル基、ジプロペニル基、トリプロペニル基、テトラプロペニル基、ペンタプロペニル基、ヘキサプロペニル基、ヘプタプロペニル基、オクタプロペニル基、ジブテニル基、トリブテニル基、テトラブテニル基、ペンタブテニル基、ヘキサブテニル基などが挙げられる。なお、二重結合を二個有するブタジエニル基も好ましい例として挙げることができる。
【００１５】
上記アリール基の好ましい例としては、フェニル基及びナフチル基などが挙げられ、また同じく上記アルキルアリール基の好ましい例としては、トリル基（すべての置換異性体を含む）、キシリル基（すべての置換異性体を含む）、エチルフェニル基（すべての置換異性体を含む）、直鎖または分枝プロピルフェニル基（すべての置換異性体を含む）、エチルメチルフェニル基（すべての置換異性体を含む）、トリメチルフェニル基（すべての置換異性体を含む）、直鎖または分枝ブチルフェニル基（すべての置換異性体を含む）、直鎖または分枝プロピルメチルフェニル基（すべての置換異性体を含む）、ジエチルフェニル基（すべての置換異性体を含む）、エチルジメチルフェニル基（すべての置換異性体を含む）、テトラメチルフェニル基（すべての置換異性体を含む）、直鎖または分枝ペンチルフェニル基（すべての置換異性体を含む）、直鎖または分枝ヘキシルフェニル基（すべての置換異性体を含む）、直鎖または分枝ヘプチルフェニル基（すべての置換異性体を含む）、直鎖または分枝オクチルフェニル基（すべての置換異性体を含む）、直鎖または分枝ノニルフェニル基（すべての置換異性体を含む）、直鎖または分枝デシルフェニル基（すべての置換異性体を含む）、直鎖または分枝ウンデシルフェニル基（すべての置換異性体を含む）、直鎖または分枝ドデシルフェニル基（すべての置換異性体を含む）などが挙げられる。
【００１６】
上記アリールアルキル基の好ましい例としては、ベンジル基、メチルベンジル基（すべての置換異性体を含む）、ジメチルベンジル基（すべての置換異性体を含む）、フェネチル基、メチルフェネチル基（すべての置換異性体を含む）及びジメチルフェネチル基（すべての置換異性体を含む）などが挙げられる。
【００１７】
上記Ｒ1及びＲ2は、それぞれ別個に炭素数１〜２４の直鎖状または分枝状のアルキル基、あるいは炭素数２〜２４の直鎖状又は分枝状のアルケニル基であることが好ましく、更に好ましくは、炭素数１〜１８の直鎖状または分枝状のアルキル基、あるいは炭素数２〜１８の直鎖状又は分枝状のアルケニル基であり、特に好ましくは、炭素数６〜１８の分岐状アルケニル基であり、最も好ましくは、トリプロペニル基、テトラプロペニル基、ペンタプロペニル基である。
【００１８】
上記炭素数２〜６のアルキレン基で表されるＲ3、Ｒ4及びＲ5しては、例えば、エチレン基、プロピレン基（１−メチルエチレン基、２−メチルエチレン基）、トリメチレン基、ブチレン基（１−エチルエチレン基、２−エチルエチレン基）、１，２−ジメチルエチレン基、２，２−ジメチルエチレン基、１−メチルトリメチレン基、２−メチルトリメチレン基、３−メチルトリメチレン基、テトラメチレン基、ペンチレン基（１−ブチルエチレン基、２−ブチルエチレン基）、１−エチル−１−メチルエチレン基、１−エチル−２−メチルエチレン基、１，１，２−トリメチルエチレン基、１，２，２−トリメチルエチレン基、１−エチルトリメチレン基、２−エチルトリメチレン基、３−エチルトリメチレン基、１，１−ジメチルトリメチレン基、１，２−ジメチルトリメチレン基、１，３−ジメチルトリメチレン基、２，３−ジメチルトリメチレン基、３，３−ジメチルトリメチレン基、１−メチルテトラメチレン基、２−メチルテトラメチレン基、３−メチルテトラメチレン基、４−メチルテトラメチレン基、ペンタメチレン基、ヘキシレン基（１−ブチルエチレン基、２−ブチルエチレン基）、１−メチル−１−プロピルエチレン基、１−メチル−２−プロピルエチレン基、２−メチル−２−プロピルエチレン基、１，１−ジエチルエチレン基、１，２−ジエチルエチレン基、２，２−ジエチルエチレン基、１−エチル−１，２−ジメチルエチレン基、１−エチル−２，２−ジメチルエチレン基、２−エチル−１，１−ジメチルエチレン基、２−エチル−１，２−ジメチルエチレン基、１，１，２，２−テトラメチルエチレン基、１−プロピルトリメチレン基、２−プロピルトリメチレン基、３−プロピルトリメチレン基、１−エチル−１−メチルトリメチレン基、１−エチル−２−メチルトリメチレン基、１−エチル−３−メチルトリメチレン基、２−エチル−１−メチルトリメチレン基、２−エチル−２−メチルトリメチレン基、２−エチル−３−メチルトリメチレン基、３−エチル−１−メチルトリメチレン基、３−エチル−２−メチルトリメチレン基、３−エチル−３−メチルトリメチレン基、１，１，２−トリメチルトリメチレン基、１，１，３−トリメチルトリメチレン基、１，２，２−トリメチルトリメチレン基、１，２，３−トリメチルトリメチレン基、１，３，３−トリメチ  ルトリメチレン基、２，２，３−トリメチルトリメチレン基、２，３，３−トリメチルトリメチレン基、１−エチルテトラメチレン基、２−エチルテトラメチレン基、３−エチルテトラメチレン基、４−エチルテトラメチレン基、１，１−ジメチルテトラメチレン基、１，２−ジメチルテトラメチレン基、１，３−ジメチルテトラメチレン基、１，４−ジメチルテトラメチレン基、２，２−ジメチルテトラメチレン基、２，３−ジメチルテトラメチレン基、２，４−ジメチルテトラメチレン基、３，３−ジメチルテトラメチレン基、３，４−ジメチルテトラメチレン基、４，４−ジメチルテトラメチレン基、１−メチルペンタメチレン基、２−メチルペンタメチレン基、３−メチルペンタメチレン基、４−メチルペンタメチレン基、５−メチルペンタメチレン基及びヘキサメチレン基などが挙げられる。
【００１９】
上記Ｒ3、Ｒ4及びＲ5は、それぞれ別個に炭素数２〜４のアルキレン基であることが好ましく、具体的には例えば、エチレン基、プロピレン基（１−メチルエチレン基、２−メチルエチレン基）、ブチレン基（１−エチルエチレン基、２−エチルエチレン基）、１，２−ジメチルエチレン基、１，１−ジメチルエチレン基及び２，２−ジメチルエチレン基が挙げられる。
【００２０】
上記ｂは、好ましくは０〜３の整数であり、より好ましくは０〜２の整数である。
【００２１】
一般式（２）で表されるようなジカルボン酸は、例えば、オレフィンと無水マレイン酸とを反応させ、アルケニルコハク酸無水物を合成し、これと水を反応させることにより製造することができる。また一般式（１）で表されるようなコハク酸誘導体は、例えば、上記のようにして得たアルケニルコハク酸無水物とアルキレングリコールとを反応させるかまたはアルキレンオキサイドとを反応させ、さらに水で反応を停止させることにより製造することができる。更に一般式（１）において、ａ及びｃのいずれか一方が０で表される化合物（ハーフエステル）は、例えば、アルケニルコハク酸無水物とアルキレングリコールあるいはアルキレンオキサイドとを等量反応させることにより製造することができる。なお、上記の例のアルケニルコハク酸無水物とアルキレングリコールやアルキレンオキサイドとの反応においては、アルケニルコハク酸とアルキレングリコール等が反応した後、グリコールの未反応水酸基とアルケニルコハク酸がさらに反応し、２量体以上の化合物が生成したり、カルボン酸が２つともエステル化されたジエステルや反応系中の水分、およびアルキレンオキサイドの付加反応における反応を終了させるために添加する水との反応によるジカルボン酸も副生成物として併せて製造される。
【００２２】
一般式（２）で表されるジカルボン酸は、錆止め性能は高いものの、大量に存在するとその他の添加剤、特にアミン系の金属不活性化剤であるサリチリデン誘導体が分解して生成するジアミンとの二価の酸と二価の塩基との反応により、燃料油に不溶なポリマー状塩物質が沈殿しやすくなる。一方、カルボン酸が２つともエステル化されたジエステルは、錆止め性能が低く、この成分が多く含まれると、必要な錆止め性能を維持するために大量の錆止め剤の添加が必要になる。これらのことから良好な錆止め性能を維持し、かつ他の添加剤との反応により性能低下を起したり、燃料油に不溶な成分を生成させないためには、一般式（１）で表される錆止め剤には、ａおよびｃのどちらか一方が０であり、他方が１であるような例えば、アルケニルコハク酸などのハーフエステルが錆止め剤全体に対して５０質量％以上含有されていることがより好ましく、７０質量％以上含有されていることが特に好ましく、８５質量％以上含有されていることが最も好ましい。一方、一般式（２）で表されるようなジカルボン酸は、燃料油に不溶な成分を生成させないために錆止め剤全体に対して５０質量％以下であることが好ましく、３０質量％以下であることがより好ましく、１５質量％以下であることが特に好ましく、５質量％以下であることが最も好ましい。
【００２３】
本発明に用いるサリチリデン誘導体は金属不活性化剤として機能する。金属不活性化剤は、タンクや配管等から微量に混入した燃料油中の金属微粒子が触媒の役割を果たし、燃料の酸化劣化を促進するのを抑制する。これにより、燃料の酸化劣化が抑制される。サリチリデン誘導体の好ましい例としては、Ｎ−サリチリデンエチレンアミン、Ｎ，Ｎ´−ジサリチリデン−１，２−ジアミノエタン、Ｎ，Ｎ´−ジサリチリデン−１，２−ジアミノプロパン、Ｎ，Ｎ´−ジサリチリデンヒドラジン、Ｎ，Ｎ´−ビス（α，５−ジメチルサリチリデン）エチレンジアミン、Ｎ，Ｎ´−ビス（α，５−ジメチルサリチリデン）−１，３−プロパンジアミン、Ｎ，Ｎ´−ビス（α，５−ジメチルサリチリデン）−１，６−ヘキサンジアミン、及びＮ，Ｎ´−ビス（α，５−ジメチルサリチリデン）−１，１０−デカンジアミンを挙げることができる。これらの中では、Ｎ，Ｎ´−ジサリチリデン−１，２−ジアミノプロパンであることが最も好ましい。
【００２４】
本発明で用いるフェノール系酸化防止剤は、下記一般式（３）で表される化合物である。
【００２５】
【化５】
0004648525.tif 000005
【００２６】
（上記一般式（３）において、Ｒ30は、塩素原子、炭素数１〜３０の炭化水素基、炭素数１〜３０のアルコキシ基、炭素数１〜３０のアルカノール基、カルボキシル基（−ＣＯＯＨ）、スルホン酸基（−ＳＯ3Ｈ）、炭素数１〜３０のアミド基、炭素数１〜３０のアミノアルキル基又は−ＳＲ31（Ｒ31は炭素数１〜３０の炭化水素基）を表し、ａ１およびｂ１はそれぞれ０〜５の整数を表し、かつａ１＋ｂ１は０〜５の整数を表す。）
【００２７】
上記Ｒ30及びＲ31で表される炭素数１〜３０の炭化水素基は、各々別個に前記一般式（１）の炭素数１〜３０の炭化水素基の例示と同じ物を挙げることができる。またＲ30で表される炭素数１〜３０のアルコキシ基、炭素数１〜３０のアルカノール基、炭素数１〜３０のアミド基及び炭素数１〜３０のアミノアルキル基を構成するアルキル基も前記一般式（１）で説明したアルキル基の具体例と同じ物を挙げることができる。上記Ｒ30及びＲ31は各々別個に炭素数１〜８のアルキル基が好ましく、特に好ましくは、炭素数１〜４のアルキル基である。ａ１は、０〜３の整数が好ましく、特に好ましくは、０〜２の整数である。ｂ１は１〜４の整数が好ましく、特に好ましくは、１〜３の整数である。
【００２８】
上記一般式（３）で表されるフェノール系酸化防止剤の好ましい具体例としては、２，４，６−トリ−ｔｅｒｔ−ブチルフェノール、２，６−ジ−ｔｅｒｔ−ブチル−４−メチルフェノール、２，６−ジ−ｔｅｒｔ−ブチルフェノール、２，４−ジ−ｔｅｒｔ−ブチル−６−メチルフェノール、２，４−ジ−ｔｅｒｔ−ブチルフェノール、２−ｔｅｒｔ−ブチル−４，６−ジメチルフェノール、２−ｔｅｒｔ−ブチル−４−メチルフェノール、２−ｔｅｒｔ−ブチル−６−メチルフェノール、２−ｔｅｒｔ−ブチルフェノール、４−ｔｅｒｔ−ブチル−２，６−ジメチルフェノール、４−ｔｅｒｔ−ブチル−２−メチルフェノール、４−ｔｅｒｔ−ブチルフェノール、ｐ−ノニルフェノール、４−ヒドロキシメチル−２，６−ジ−ｔｅｒｔ−ブチルフェノール、４−メトキシフェノール、４−メトキシ−２−ｔｅｒｔ−ブチルフェノール、４−メトキシ−３−ｔｅｒｔ−ブチルフェノール、１，４−ジヒドロキシ−２，５−ジ−ｔｅｒｔ−ブチルベンゼン、４−エチル−２，６−ジ−ｔｅｒｔ−ブチルフェノール、３−メチル−４−イソプロピルフェノール、２−ｔｅｒｔ−ブチル−５−メチルフェノール、シクロヘキシルフェノール、フェニルフェノール、１，２−ジヒドロキシベンゼン、１，４−ジヒドロキシベンゼン、１，２−ジヒドロキシ−４−ｔｅｒｔ−ブチルベンゼン、４−ドデカノイルアミドフェノール、４−オクタデカノイルアミドフェノールを挙げることができる。
【００２９】
上記のフェノール系酸化防止剤の中では、２，４，６−トリ−ｔｅｒｔ−ブチルフェノール、２，６−ジ−ｔｅｒｔ−ブチル−４−メチルフェノール、２，６−ジ−ｔｅｒｔ−ブチルフェノール、２，４−ジ−ｔｅｒｔ−ブチル−６−メチルフェノール、２，４−ジ−ｔｅｒｔ−ブチルフェノール、２−ｔｅｒｔ−ブチル−４，６−ジメチルフェノール、２−ｔｅｒｔ−ブチル−４−メチルフェノール、２−ｔｅｒｔ−ブチル−６−メチルフェノール、２−ｔｅｒｔ−ブチルフェノール、４−ｔｅｒｔ−ブチル−２，６−ジメチルフェノール、４−ｔｅｒｔ−ブチル−２−メチルフェノール、又は４−ｔｅｒｔ−ブチルフェノールがより好ましく、２，４，６−トリ−ｔｅｒｔ−ブチルフェノール、２，６−ジ−ｔｅｒｔ−ブチル−４−メチルフェノール、２，６−ジ−ｔｅｒｔ−ブチルフェノール、２−ｔｅｒｔ−ブチル−４，６−ジメチルフェノール、又は２−ｔｅｒｔ−ブチルフェノールであることが最も好ましい。これらの化合物は、１種類の化合物を単独で使用してもよいし、あるいは二種以上の化合物を組み合わせて使用してもよい。
【００３０】
本発明で用いるアミン系清浄分散剤としては、具体的には、ポリエーテルアミン及び／又はポリアルケニルアミンを挙げることができる。
ポリエーテルアミンは、少なくとも１個の塩基性窒素を有し、これらがエーテル結合を介して結合した重合物である。本発明に用いるポリエーテルアミンの重量平均分子量は１００〜１５０００の範囲にあり、重量平均分子量（Ｍｗ）と数平均分子量（Ｍｎ）との比（Ｍｗ/Ｍｎ）は１．０１〜１．５の範囲にあることが好ましい。更にポリエーテルアミンには、アミド基、ウレタン基、エステル基、カーボネート基等の結合基やポリエーテル骨格の側鎖にグリシジル基等が含まれていても構わない。
本発明で用いるポリエーテルアミンは、一般式（４）で表される化合物であることが好ましい。
【００３１】
【化６】
0004648525.tif 000006
【００３２】
（一般式（４）において、Ｒ41は水素原子または炭素数１〜３０の炭化水素基を示し、Ｒ42、Ｒ43、Ｒ44およびＲ45はそれぞれ別個に水素原子、炭素数１〜１６の炭化水素基または下記一般式（５）で表される基を示し、Ｒ46は炭素数１〜１０のアルキレン基を示し、Ｚは下記Ａ群の中から選ばれる基を示し、Ｘは下記Ｂ群の中から選ばれる基を示し、ａ２は１〜２００の整数であり、ｂ２は０または１であり、ｃ２は０または１であり、ｄは１〜３の整数であり、ｅは０〜２の整数であり、そしてｄ＋ｅ＝３である。）
【００３３】
【化７】
0004648525.tif 000007
（一般式（５）において、Ｒ47およびＲ48はそれぞれ個別に水素原子、炭素数１〜１０の炭化水素基または炭素数２〜１０のアルコキシアルキル基を示し、Ｒ49は炭素数２〜６のアルキレン基、あるいはアルコキシアルキル基を置換基として有する総炭素数４〜１０のアルキレン基を示し、Ｒ50は水素原子または炭素数１〜３０の炭化水素基を示し、そしてｆは０〜５０の整数を示す。）
【００３４】
Ａ群
Ａ１：−Ｏ−ＣＯ−
Ａ２：−ＣＯ−
Ａ３：−Ｏ−ＣＯ−Ｒ51−
Ａ４：−Ｏ−ＣＯ−Ｏ−Ｒ52−
Ａ５：−ＣＯ−Ｏ−Ｒ53−
（上記Ｒ51、Ｒ52、及びＲ53はそれぞれ別個に炭素数１〜６のアルキレン基を示す。）
【００３５】
Ｂ群
Ｂ１：水素原子
Ｂ２：炭素数１〜３０の炭化水素基
Ｂ３：下記一般式（６）で表されるアルカノール基
−Ｒ54−ＯＨ                      （６）
（一般式（６）において、Ｒ54は炭素数１〜６のアルキレン基を示す。）
Ｂ４：下記一般式（７）で表される含窒素基
【００３６】
【化８】
0004648525.tif 000008
【００３７】
（一般式（７）において、Ｒ55は炭素数２〜６のアルキレン基を示し、Ｒ56は水素原子、炭素数１〜４のアルキル基または上記一般式（６）で表される基を示し、Ｒ57は水素原子、炭素数１〜３０の炭化水素基または上記一般式（６）で表される基を示し、そしてｇは１〜５の整数を示す。）
Ｂ５：下記一般式（８）で表される基
【００３８】
【化９】
0004648525.tif 000009
（一般式（８）において、Ｒ58は炭素数２〜６のアルキレン基を表し、Ｒ59、Ｒ60、Ｒ61及びＲ62は、それぞれ別個に水素原子、炭素数１〜１０の炭化水素基又は水酸基を表し、Ｙは、メチレン基、炭素数１〜１０の炭化水素基もしくは水酸基で置換されたイミノ基または酸素原子を表し、ｈは、ｅ＝１のとき１を表し、ｅ＝２のときは、０又は１を表す（但し、ｈ＝０のとき一般式（８）の中のＮ（窒素原子）は、一般式（４）の中の窒素原子に該当する。））
【００３９】
一般式（４）で表されるポリエーテルアミンについて詳述する。
上記Ｒ41は、水素原子であるか、あるいは炭素数１〜２４の直鎖状または分枝状のアルキル基、炭素数５〜１３のシクロアルキル基またはアルキルシクロアルキル基、炭素数２〜２４の直鎖状または分枝状のアルケニル基、炭素数６〜１８のアリール基またはアルキルアリール基、炭素数７〜１９のアリールアルキル基のいずれかであることが好ましい。
【００４０】
Ｒ41で表される好ましいアルキル基としては、例えば、メチル基、エチル基、ｎ−プロピル基、イソプロピル基、ｎ−ブチル基、イソブチル基、ｓｅｃ−ブチル基、ｔｅｒｔ−ブチル基、直鎖または分枝ペンチル基、直鎖または分枝ヘキシル基、直鎖または分枝ヘプチル基、直鎖または分枝オクチル基、直鎖または分枝ノニル基、直鎖または分枝デシル基、直鎖または分枝ウンデシル基、直鎖または分枝ドデシル基、直鎖または分枝トリデシル基、直鎖または分枝テトラデシル基、直鎖または分枝ペンタデシル基、直鎖または分枝ヘキサデシル基、直鎖または分枝ヘプタデシル基、直鎖または分枝オクタデシル基、直鎖または分枝ノナデシル基、直鎖または分枝イコシル基、直鎖または分枝ヘンイコシル基、直鎖または分枝ドコシル基、直鎖または分枝トリコシル基及び直鎖または分枝テトラコシル基などが挙げられる。
【００４１】
Ｒ41で表される好ましいシクロアルキル基としては、例えば、シクロペンチル基、シクロヘキシル基、シクロヘプチル基などを挙げることができる。また同じく好ましいアルキルシクロアルキル基としては、例えば、メチルシクロペンチル基、ジメチルシクロペンチル基（すべての置換異性体を含む）、エチルシクロペンチル基（すべての置換異性体を含む）、直鎖または分枝プロピルシクロペンチル基（すべての置換異性体を含む）、エチルメチルシクロペンチル基（すべての置換異性体を含む）、トリメチルシクロペンチル基（すべての置換異性体を含む）、ジエチルシクロペンチル基（すべての置換異性体を含む）、エチルジメチルシクロペンチル基（すべての置換異性体を含む）、直鎖または分枝プロピルメチルシクロペンチル基（すべての置換異性体を含む）、直鎖または分枝プロピルエチルシクロペンチル基（すべての置換異性体を含む）、ジ−直鎖または分枝プロピルシクロペンチル基（すべての置換異性体を含む）、直鎖または分枝プロピルエチルメチルシクロペンチル基（すべての置換異性体を含む）、メチルシクロヘキシル基（すべての置換異性体を含む）、ジメチルシクロヘキシル基（すべての置換異性体を含む）、エチルシクロヘキシル基（すべての置換異性体を含む）、直鎖または分枝プロピルシクロヘキシル基（すべての置換異性体を含む）、エチルメチルシクロヘキシル基（すべての置換異性体を含む）、トリメチルシクロヘキシル基（すべての置換異性体を含む）、ジエチルシクロヘキシル基（すべての置換異性体を含む）、エチルジメチルシクロヘキシル基（すべての置換異性体を含む）、直鎖または分枝プロピルメチルシクロヘキシル基（すべての置換異性体を含む）、直鎖または分枝プロピルエチルシクロヘキシル基（すべての置換異性体を含む）、ジ−直鎖または分枝プロピルシクロヘキシル基（すべての置換異性体を含む）、直鎖または分枝プロピルエチルメチルシクロヘキシル基（すべての置換異性体を含む）、メチルシクロヘプチル基（すべての置換異性体を含む）、ジメチルシクロヘプチル基（すべての置換異性体を含む）、エチルシクロヘプチル基（すべての置換異性体を含む）、直鎖または分枝プロピルシクロヘプチル基（すべての置換異性体を含む）、エチルメチルシクロヘプチル基（すべての置換異性体を含む）、トリメチルシクロヘプチル基（すべての置換異性体を含む）、ジエチルシクロヘプチル基（すべての置換異性体を含む）、エチルジメチルシクロヘプチル基（すべての置換異性体を含む）、直鎖または分枝プロピルメチルシクロヘプチル基（すべての置換異性体を含む）、直鎖または分枝プロピルエチルシクロヘプチル基（すべての置換異性体を含む）、ジ−直鎖または分枝プロピルシクロヘプチル基（すべての置換異性体を含む）、及び直鎖または分枝プロピルエチルメチルシクロヘプチル基（すべての置換異性体を含む）などが挙げられる。
【００４２】
Ｒ41で表される好ましいアルケニル基としては、例えば、ビニル基、プロペニル基、イソプロペニル基、直鎖または分枝ブテニル基、直鎖または分枝ペンテニル基、直鎖または分枝ヘキセニル基、直鎖または分枝ヘプテニル基、直鎖または分枝オクテニル基、直鎖または分枝ノネニル基、直鎖または分枝デセニル基、直鎖または分枝ウンデセニル基、直鎖または分枝ドデセニル基、直鎖または分枝トリデセニル基、直鎖または分枝テトラデセニル基、直鎖または分枝ペンタデセニル基、直鎖または分枝ヘキサデセニル基、直鎖または分枝ヘプタデセニル基、オレイル基などの直鎖または分枝オクタデセニル基、直鎖または分枝ノナデセニル基、直鎖または分枝イコセニル基、直鎖または分枝ヘンイコセニル基、直鎖または分枝ドコセニル基、直鎖または分枝トリコセニル基、及び直鎖または分枝テトラコセニル基が挙げられる。なお、二重結合を二個有するブタジエニル基も好ましい例として挙げることができる。
【００４３】
Ｒ41で表される好ましいアリール基としては、例えば、フェニル基及びナフチル基などを挙げることができる。また同じく好ましいアルキルアリール基としては、例えば、トリル基（すべての置換異性体を含む）、キシリル基（すべての置換異性体を含む）、エチルフェニル基（すべての置換異性体を含む）、直鎖または分枝プロピルフェニル基（すべての置換異性体を含む）、エチルメチルフェニル基（すべての置換異性体を含む）、トリメチルフェニル基（すべての置換異性体を含む）、直鎖または分枝ブチルフェニル基  （すべての置換異性体を含む）、直鎖または分枝プロピルメチルフェニル基（すべての置換異性体を含む）、ジエチルフェニル基（すべての置換異性体を含む）、エチルジメチルフェニル基（すべての置換異性体を含む）、テトラメチルフェニル基（すべての置換異性体を含む）、直鎖または分枝ペンチルフェニル基（すべての置換異性体を含む）、直鎖または分枝ヘキシルフェニル基（すべての置換異性体を含む）、直鎖または分枝ヘプチルフェニル基（すべての置換異性体を含む）、直鎖または分枝オクチルフェニル基（すべての置換異性体を含む）、直鎖または分枝ノニルフェニル基（すべての置換異性体を含む）、直鎖または分枝デシルフェニル基（すべての置換異性体を含む）、直鎖または分枝ウンデシルフェニル基（すべての置換異性体を含む）、直鎖又は分枝ドデシルフェニル基（すべての置換異性体を含む）などを挙げることができる。
【００４４】
Ｒ41で表される好ましいアリールアルキル基としては、例えば、ベンジル基、メチルベンジル基（すべての置換異性体を含む）、ジメチルベンジル基（すべての置換異性体を含む）、フェネチル基、メチルフェネチル基（すべての置換異性体を含む）、ジメチルフェネチル基（すべての置換異性体を含む）が挙げられる。
【００４５】
Ｒ41が水素原子、炭素数１〜１２の直鎖状もしくは分枝状のアルキル基、炭素数６〜１８のアリール基またはアルキルアリール基である場合がより好ましく、水素原子、炭素数１〜６の直鎖状もしくは分枝状のアルキル基、フェニル基または炭素数７〜１５の直鎖もしくは分枝アルキルアリール基である場合が特に好ましく、水素原子である場合が最も好ましい。
【００４６】
上記Ｒ42、Ｒ43、Ｒ44およびＲ45は、それぞれ個別に水素原子、炭素数１〜１６の炭化水素基または一般式（５）で表される基を示す。
ここで炭素数１〜１６の炭化水素基には、例えば、炭素数１〜１６の直鎖状または分枝状のアルキル基、炭素数５〜１６のシクロアルキル基またはアルキルシクロアルキル基、炭素数２〜１６の直鎖状または分枝状のアルケニル基、炭素数６〜１６のアリール基またはアルキルアリール基、炭素数７〜１６のアリールアルキル基などが包含される。
【００４７】
好ましいアルキル基としては、例えば、メチル基、エチル基、ｎ−プロピル基、イソプロピル基、ｎ−ブチル基、イソブチル基、ｓｅｃ−ブチル基、ｔｅｒｔ−ブチル基、直鎖または分枝ペンチル基、直鎖または分枝ヘキシル基、直鎖または分枝ヘプチル基、直鎖または分枝オクチル基、直鎖または分枝ノニル基、直鎖または分枝デシル基、直鎖または分枝ウンデシル基、直鎖または分枝ドデシル基、直鎖または分枝トリデシル基、直鎖または分枝テトラデシル基、直鎖または分枝ペンタデシル基、及び直鎖または分枝ヘキサデシル基などが挙げられる。
【００４８】
好ましいシクロアルキル基としては、例えば、シクロペンチル基、シクロヘキシル基及びシクロヘプチル基などが挙げられる。また、好ましいアルキルシクロアルキル基としては、例えば、メチルシクロペンチル基（すべての置換異性体を含む）、ジメチルシクロペンチル基（すべての置換異性体を含む）、エチルシクロペンチル基（すべての置換異性体を含む）、直鎖または分枝プロピルシクロペンチル基（すべての置換異性体を含む）、エチルメチルシクロペンチル基（すべての置換異性体を含む）、トリメチルシクロペンチル基（すべての置換異性体を含む）、ジエチルシクロペンチル基（すべての置換異性体を含む）、エチルジメチルシクロペンチル基  （すべての置換異性体を含む）、直鎖または分枝プロピルメチルシクロペンチル基（すべての置換異性体を含む）、直鎖または分枝プロピルエチルシクロペンチル基（すべての置換異性体を含む）、メチルシクロヘキシル基（すべての置換異性体を含む）、ジメチルシクロヘキシル基（すべての置換異性体を含む）、エチルシクロヘキシル基（すべての置換異性体を含む）、直鎖または分枝プロピルシクロヘキシル基（すべての置換異性体を含む）、エチルメチルシクロヘキシル基（すべての置換異性体を含む）、トリメチルシクロヘキシル基（すべての置換異性体を含む）、ジエチルシクロヘキシル基（すべての置換異性体を含む）、エチルジメチルシクロヘキシル基（すべての置換異性体を含む）、直鎖または分枝プロピルメチルシクロヘキシル基（すべての置換異性体を含む）、メチルシクロヘプチル基（すべての置換異性体を含む）、ジメチルシクロヘプチル基（すべての置換異性体を含む）、エチルシクロヘプチル基（すべての置換異性体を含む）、直鎖または分枝プロピルシクロヘプチル基（すべての置換異性体を含む）、エチルメチルシクロヘプチル基（すべての置換異性体を含む）、及びトリメチルシクロヘプチル基（すべての置換異性体を含む）などが挙げられる。
【００４９】
好ましいアルケニル基としては、例えば、ビニル基、プロペニル基、イソプロペニル基、直鎖または分枝ブテニル基、直鎖または分枝ペンテニル基、直鎖または分枝ヘキセニル基、直鎖または分枝ヘプテニル基、直鎖または分枝オクテニル基、直鎖または分枝ノネニル基、直鎖または分枝デセニル基、直鎖または分枝ウンデセニル基、直鎖または分枝ドデセニル基、直鎖または分枝トリデセニル基、直鎖または分枝テトラデセニル基、直鎖または分枝ペンタデセニル基、及び直鎖または分枝ヘキサデセニル基などが挙げられる。なお、二重結合を二個有するブタジエニル基も好ましい例として挙げることができる。
【００５０】
好ましいアリール基としては、例えば、フェニル基及びナフチル基などが挙げられる。、また好ましいアルキルアリール基としては、例えば、トリル基（すべての置換異性体を含む）、キシリル基（すべての置換異性体を含む）、エチルフェニル基（すべての置換異性体を含む）、直鎖または分枝プロピルフェニル基（すべての置換異性体を含む）、エチルメチルフェニル基（すべての置換異性体を含む）、トリメチルフェニル基（すべての置換異性体を含む）、直鎖または分枝ブチルフェニル基（すべての置換異性体を含む）、直鎖または分枝プロピルメチルフェニル基（すべての置換異性体を含む）、ジエチルフェニル基（すべての置換異性体を含む）、エチルジメチルフェニル基（すべての置換異性体を含む）、テトラメチルフェニル基（すべての置換異性体を含む）などが挙げられる。
【００５１】
好ましいアリールアルキル基としては、例えば、ベンジル基、メチルベンジル基（すべての置換異性体を含む）、ジメチルベンジル基（すべての置換異性体を含む）、フェネチル基、メチルフェネチル基（すべての置換異性体を含む）、及びジメチルフェネチル基（すべての置換異性体を含む）などが挙げられる。
【００５２】
Ｒ42、Ｒ43、Ｒ44およびＲ45で表される炭素数１〜１６の炭化水素基は、炭素数１〜８の直鎖または分枝状のアルキル基であることが特に好ましく、炭素数１〜３の直鎖または分枝状のアルキル基であることが最も好ましい。
【００５３】
Ｒ42、Ｒ43、Ｒ44およびＲ45で表される一般式（５）について詳述する。
Ｒ47およびＲ48はそれぞれ個別に、水素原子、炭素数１〜１０の炭化水素基または炭素数２〜１０のアルコキシアルキル基を示す。
ここで炭素数１〜１０の炭化水素基には、炭素数１〜１０の直鎖状または分枝状のアルキル基、炭素数５〜１０のシクロアルキル基またはアルキルシクロアルキル基、炭素数２〜１０の直鎖状または分枝状のアルケニル基、炭素数６〜１０のアリール基またはアルキルアリール基、及び炭素数７〜１０のアリールアルキル基などが包含される。
【００５４】
好ましいアルキル基としては、例えば、メチル基、エチル基、ｎ−プロピル基、イソプロピル基、ｎ−ブチル基、イソブチル基、ｓｅｃ−ブチル基、ｔｅｒｔ−ブチル基、直鎖または分枝ペンチル基、直鎖または分枝ヘキシル基、直鎖または分枝ヘプチル基、直鎖または分枝オクチル基、直鎖または分枝ノニル基、及び直鎖または分枝デシル基などが挙げられる。
【００５５】
好ましいシクロアルキル基としては、例えば、シクロペンチル基、シクロヘキシル基、シクロヘプチル基などが挙げられる。またアルキルシクロアルキル基としては、例えば、メチルシクロペンチル基（すべての置換異性体を含む）、ジメチルシクロペンチル基（すべての置換異性体を含む）、エチルシクロペンチル基（すべての置換異性体を含む）、直鎖または分枝プロピルシクロペンチル基（すべての置換異性体を含む）、エチルメチルシクロペンチル基（すべての置換異性体を含む）、トリメチルシクロペンチル基（すべての置換異性体を含む）、ジエチルシクロペンチル基（すべての置換異性体を含む）、エチルジメチルシクロペンチル基  （すべての置換異性体を含む）、直鎖または分枝プロピルメチルシクロペンチル基（すべての置換異性体を含む）、直鎖または分枝プロピルエチルシクロペンチル基（すべての置換異性体を含む）、メチルシクロヘキシル基（すべての置換異性体を含む）、ジメチルシクロヘキシル基（すべての置換異性体を含む）、エチルシクロヘキシル基（すべての置換異性体を含む）、直鎖または分枝プロピルシクロヘキシル基（すべての置換異性体を含む）、エチルメチルシクロヘキシル基（すべての置換異性体を含む）、トリメチルシクロヘキシル基（すべての置換異性体を含む）、ジエチルシクロヘキシル基（すべての置換異性体を含む）、エチルジメチルシクロヘキシル基（すべての置換異性体を含む）、直鎖または分枝プロピルメチルシクロヘキシル基（すべての置換異性体を含む）、メチルシクロヘプチル基（すべての置換異性体を含む）、ジメチルシクロヘプチル基（すべての置換異性体を含む）、エチルシクロヘプチル基（すべての置換異性体を含む）、直鎖または分枝プロピルシクロヘプチル基（すべての置換異性体を含む）、エチルメチルシクロヘプチル基（すべての置換異性体を含む）及びトリメチルシクロヘプチル基（すべての置換異性体を含む）などが挙げられる。
【００５６】
好ましいアルケニル基としては、例えば、ビニル基、プロペニル基、イソプロペニル基、直鎖または分枝ブテニル基、直鎖または分枝ペンテニル基、直鎖または分枝ヘキセニル基、直鎖または分枝ヘプテニル基、直鎖または分枝オクテニル基、直鎖または分枝ノネニル基、及び直鎖または分枝デセニル基などが挙げられる。なお、二重結合を二個有するブタジエニル基も好ましい例として挙げることができる。
【００５７】
好ましいアリール基としては、例えば、フェニル基及びナフチル基などが挙げられる。また好ましいアルキルアリール基としては、例えば、トリル基（すべての置換異性体を含む）、キシリル基（すべての置換異性体を含む）、エチルフェニル基（すべての置換異性体を含む）、直鎖または分枝プロピルフェニル基（すべての置換異性体を含む）、エチルメチルフェニル基（すべての置換異性体を含む）、トリメチルフェニル基（すべての置換異性体を含む）、直鎖または分枝ブチルフェニル基（すべての置換異性体を含む）、直鎖または分枝プロピルメチルフェニル基（すべての置換異性体を含む）、ジエチルフェニル基（すべての置換異性体を含む）、エチルジメチルフェニル基（すべての置換異性体を含む）、及びテトラメチルフェニル基（すべての置換異性体を含む）などが挙げられる。
【００５８】
好ましいアリールアルキル基としては、例えば、ベンジル基、メチルベンジル基（すべての置換異性体を含む）、ジメチルベンジル基（すべての置換異性体を含む）、フェネチル基、メチルフェネチル基（すべての置換異性体を含む）、及びジメチルフェネチル基（すべての置換異性体を含む）などが挙げられる。
【００５９】
上記炭素数２〜１０のアルコキシアルキル基としては、例えば、メトキシメチル基、エトキシメチル基、ｎ−プロポキシメチル基、イソプロポキシメチル基、ｎ−ブトキシメチル基、イソブトキシメチル基、ｓｅｃ−ブトキシメチル基、ｔｅｒｔ−ブトキシメチル基、ペントキシメチル基（すべての異性体を含む）、ヘキソキシメチル基（すべての異性体を含む）、ヘプトキシメチル基（すべての異性体を含む）、オクトキシメチル基（すべての異性体を含む）、ノニロキシメチル基（すべての異性体を含む）、メトキシエチル基（すべての異性体を含む）、エトキシエチル基（すべての異性体を含む）、プロポキシエチル基（すべての異性体を含む）、ブトキシエチル基（すべての異性体を含む）、ペントキシエチル基（すべての異性体を含む）、ヘキソキシエチル基（すべての異性体を含む）、ヘプトキシエチル基（すべての異性体を含む）、オクトキシエチル基（すべての異性体を含む）、メトキシプロピル基（すべての異性体を含む）、エトキシプロピル基（すべての異性体を含む）、プロポキシプロピル基（すべての異性体を含む）、ブトキシプロピル基（すべての異性体を含む）、ペントキシプロピル基（すべての異性体を含む）、ヘキソキシプロピル基（すべての異性体を含む）、ヘプトキシプロピル基（すべての異性体を含む）、メトキシブチル基（すべての異性体を含む）、エトキシブチル基（すべての異性体を含む）、プロポキシブチル基（すべての異性体を含む）、ブトキシブチル基（すべての異性体を含む）、ペントキシブチル基（すべての異性体を含む）、ヘキソキシブチル基（すべての異性体を含む）、メトキシペンチル基（すべての異性体を含む）、エトキシペンチル基（すべての異性体を含む）、プロポキシペンチル基（すべての異性体を含む）、ブトキシペンチル基（すべての異性体を含む）、ペントキシペンチル基（すべての異性体を含む）、メトキシヘキシル基（すべての異性体を含む）、エトキシヘキシル基（すべての異性体を含む）、プロポキシヘキシル基（すべての異性体を含む）、ブトキシヘキシル基（すべての異性体を含む）、メトキシヘプチル基（すべての異性体を含む）、エトキシヘプチル基（すべての異性体を含む）、プロポキシヘプチル基（すべての異性体を含む）、メトキシオクチル基  （すべての異性体を含む）、エトキシオクチル基（すべての異性体を含む）、及びメトキシノニル基（すべての異性体を含む）などが挙げられる。
【００６０】
一般式（５）におけるＲ47およびＲ48は共に、またはそれぞれ個別に水素原子、炭素数１〜６のアルキル基または炭素数２〜６のアルコキシアルキル基であることが好ましく、水素原子または炭素数１〜３のアルキル基であることが特に好ましい。
【００６１】
Ｒ49は炭素数２〜６のアルキレン基、またはアルコキシアルキル基を置換基として有する総炭素数４〜１０のアルキレン基を示す。ここで炭素数２〜６のアルキレン基としては、例えば、エチレン基、プロピレン基（１−メチルエチレン基、２−メチルエチレン基）、トリメチレン基、ブチレン基（１−エチルエチレン基、２−エチルエチレン基）、１，２−ジメチルエチレン基、２，２−ジメチルエチレン基、１−メチルトリメチレン基、２−メチルトリメチレン基、３−メチルトリメチレン基、テトラメチレン基、ペンチレン基（１−ブチルエチレン基、２−ブチルエチレン基）、１−エチル−１−メチルエチレン基、１−エチル−２−メチルエチレン基、１，１，２−トリメチルエチレン基、１，２，２−トリメチルエチレン基、１−エチルトリメチレン基、２−エチルトリメチレン基、３−エチルトリメチレン基、１，１−ジメチルトリメチレン基、１，２−ジメチルトリメチレン基、１，３−ジメチルトリメチレン基、２，３−ジメチルトリメチレン基、３，３−ジメチルトリメチレン基、１−メチルテトラメチレン基、２−メチルテトラメチレン基、３−メチルテトラメチレン基、４−メチルテトラメチレン基、ペンタメチレン基、ヘキシレン基（１−ブチルエチレン基、２−ブチルエチレン基）、１−メチル−１−プロピルエチレン基、１−メチル−２−プロピルエチレン基、２−メチル−２−プロピルエチレン基、１，１−ジエチルエチレン基、１，２−ジエチルエチレン基、２，２−ジエチルエチレン基、１−エチル−１，２−ジメチルエチレン基、１−エチル−２，２−ジメチルエチレン基、２−エチル−１，１−ジメチルエチレン基、２−エチル−１，２−ジメチルエチレン基、１，１，２，２−テトラメチルエチレン基、１−プロピルトリメチレン基、２−プロピルトリメチレン基、３−プロピルトリメチレン基、１−エチル−１−メチルトリメチレン基、１−エチル−２−メチルトリメチレン基、１−エチル−３−メチルトリメチレン基、２−エチル−１−メチルトリメチレン基、２−エチル−２−メチルトリメチレン基、２−エチル−３−メチルトリメチレン基、３−エチル−１−メチルトリメチレン基、３−エチル−２−メチルトリメチレン基、３−エチル−３−メチルトリメチレン基、１，１，２−トリメチルトリメチレン基、１，１，３−トリメチルトリメチレン基、１，２，２−トリメチルトリメチレン基、１，２，３−トリメチルトリメチレン基、１，３，３−トリメチルトリメチレン基、２，２，３−トリメチルトリメチレン基、２，３，３−トリメチルトリメチレン基、１−エチルテトラメチレン基、２−エチルテトラメチレン基、３−エチルテトラメチレン基、４−エチルテトラメチレン基、１，１−ジメチルテトラメチレン基、１，２−ジメチルテトラメチレン基、１，３−ジメチルテトラメチレン基、１，４−ジメチルテトラメチレン基、２，２−ジメチルテトラメチレン基、２，３−ジメチルテトラメチレン基、２，４−ジメチルテトラメチレン基、３，３−ジメチルテトラメチレン基、３，４−ジメチルテトラメチレン基、４，４−ジメチルテトラメチレン基、１−メチルペンタメチレン基、２−メチルペンタメチレン基、３−メチルペンタメチレン基、４−メチルペンタメチ���ン基、５−メチルペンタメチレン基及びヘキサメチレン基などが挙げられる。
【００６２】
Ｒ49のアルコキシアルキル基を置換基として有する総炭素数４〜１０のアルキレン基は、総炭素数４〜８のアルコキシアルキル基置換エチレン基であることが好ましく、これらの例としては、１−（メトキシメチル）エチレン基、２−（メトキシメチル）エチレン基、１−（メトキシエチル）エチレン基、２−（メトキシエチル）エチレン基、１−（エトキシメチル）エチレン基、２−（エトキシメチル）エチレン基、１−メトキシメチル−２−メチルエチレン基、１，１−ビス（メトキシメチル）エチレン基、２，２−ビス（メトキシメチル）エチレン基、１，２−ビス（メトキシメチル）エチレン基、１，１−ビス（メトキシエチル）エチレン基、２，２−ビス（メトキシエチル）エチレン基、１，２−ビス（メトキシエチル）エチレン基、１，１−ビス（エトキシメチル）エチレン基、２，２−ビス（エトキシメチル）エチレン基、１，２−ビス（エトキシメチル）エチレン基、１−メチル−２−メトキシメチルエチレン基、１−メトキシメチル−２−メチルエチレン基、１−エチル−２−メトキシメチルエチレン基、１−メトキシメチル−２−エチルエチレン基、１−メチル−２−エトキシメチルエチレン基、１−エトキシメチル−２−メチルエチレン基、１−エチル−２−エトキシメチルエチレン基、１−エトキシメチル−２−エチルエチレン基、１−メチル−２−メトキシエチルエチレン基、１−メトキシエチル−２−メチルエチレン基、１−エチル−２−メトキシエチルエチレン基、及び１−メトキシエチル−２−エチルエチレン基を挙げられる。
一般式（５）のＲ49は、炭素数２〜４のアルキレン基であるか、あるいは総炭素数４〜６アルコキシアルキル基置換エチレン基であることが特に好ましい。
【００６３】
一般式（５）におけるＲ50は、水素原子、またはＲ41について先に説明した炭素数１〜２４の直鎖状または分枝状のアルキル基、炭素数５〜１３のシクロアルキル基またはアルキルシクロアルキル基、炭素数２〜２４の直鎖状または分枝状のアルケニル基、炭素数６〜１８のアリール基またはアルキルアリール基、あるいは炭素数７〜１９のアリールアルキル基のいずれかであることが好ましい。Ｒ50は炭素数１〜２４のアルキル基であることが更に好ましく、炭素数１〜１２のアルキル基であることが特に好ましい。
一般式（５）におけるｆは、好ましくは０〜３０の整数であり、より好ましくは０〜２０の整数である。
【００６４】
従って、一般式（５）で表される基は、Ｒ47およびＲ48がそれぞれ個別に水素原子、炭素数１〜６のアルキル基または炭素数２〜６のアルコキシアルキル基であり、Ｒ49が炭素数２〜６のアルキレン基または総炭素数４〜８のアルコキシアルキル基置換エチレン基であり、Ｒ50が炭素数１〜２４のアルキル基であり、かつｆが０〜３０の整数であるものが好ましい。以下、このような基(一般式（５）で表される基を指す)を、便宜上、「好ましい置換基群（５ａ）」と称する。更にＲ47およびＲ48がそれぞれ個別に水素原子または炭素数１〜３のアルキル基であり、Ｒ49が炭素数２〜４のアルキレン基であり、Ｒ50が炭素数１〜１２のアルキル基であり、かつｆが０〜２０の整数であるものがより一層好ましい。以下、このような基(一般式（５）で表される基を指す)を、便宜上、「より好ましい置換基群（５ｂ）」と称する。
【００６５】
一般式（４）で表されるポリエーテルアミンは、Ｒ42、Ｒ43、Ｒ44及びＲ45が、それぞれ別個に水素原子、炭素数１〜８のアルキル基または上記の「好ましい置換基群（５ａ）」であることが好ましく、さらに好ましくは、Ｒ42、Ｒ43、Ｒ44およびＲ45が、それぞれ別個に水素原子、炭素数１〜３のアルキル基または上記の「より好ましい置換基群（５ｂ）」である。
【００６６】
一般式（４）におけるＲ46は、炭素数１〜１０のアルキレン基を示すが、好ましくは、炭素数１〜６のアルキレン基であり、さらに好ましくは炭素数１〜３のアルキレン基である。炭素数１〜１０のアルキレン基の好ましい具体例としては、メチレン基、エチレン基、１−メチルエチレン基、２−メチルエチレン基、トリメチレン基、１−メチルトリメチレン基、２−メチルトリメチレン基、３−メチルトリメチレン基、テトラメチレン基、１−メチルテトラメチレン基、２−メチルテトラメチレン基、３−メチルテトラメチレン基、４−メチルテトラメチレン基、ペンタメチレン基、１−メチルペンタメチレン基、２−メチルペンタメチレン基、３−メチルペンタメチレン基、４−メチルペンタメチレン基、５−メチルペンタメチレン基、及びヘキサメチレン基を挙げることができる。
【００６７】
一般式（４）におけるＺは、下記Ａ群の中から選ばれる基を示す。
Ａ群
Ａ１：−Ｏ−ＣＯ−
Ａ２：−ＣＯ−
Ａ３：−Ｏ−ＣＯ−Ｒ51−
Ａ４：−Ｏ−ＣＯ−Ｏ−Ｒ52−
Ａ５：−ＣＯ−Ｏ−Ｒ53−
（上記Ｒ51、Ｒ52、及びＲ53はそれぞれ別個に炭素数１〜６のアルキレン基を示す。）
【００６８】
上記Ｒ51、Ｒ52、及びＲ53で表される炭素数１〜６のアルキレン基としては、好ましくは上記Ｒ46の例を挙げることができる。これらの中でもＲ51、Ｒ52、及びＲ53は、それぞれ別個に炭素数１〜４のアルキレン基であることが好ましく、好ましい具体例としては、メチレン基、エチレン基、プロピレン基（１−メチルエチレン基、２−メチルエチレン基）、トリメチレン基、ブチレン基（１−エチルエチレン基、２−エチルエチレン基）、１，２−ジメチルエチレン基、２，２−ジメチルエチレン基、１−メチルトリメチレン基、２−メチルトリメチレン基、３−メチルトリメチレン基、及びテトラメチレン基を挙げることができる。さらに好ましいＲ51、Ｒ52、及びＲ53は、それぞれ別個に炭素数１〜３のアルキレン基であり、好ましい具体例としては、メチレン基、エチレン基、プロピレン基（１−メチルエチレン基、２−メチルエチレン基）及びトリメチレン基を挙げることができる。
【００６９】
一般式（４）のＺは、Ａ１、Ａ２又はＡ４であることが好ましい。
【００７０】
本発明の一般式（４）で表されるポリエーテルアミンにおいて、ａ２は２〜１００の整数であることが好ましい。
また、一般式（４）においてｂ２およびｃ２はそれぞれ個別に０または１である。
すなわち、ｂ２が０、ｃ２が０の場合は下記一般式（９）で表される化合物を表し、ｂ２が０、ｃ２が１の場合は下記一般式（１０）で表される化合物を表し、ｂ２が１、ｃ２が０の場合は下記一般式（１１）で表される化合物を表し、ｂ２が１、ｃ２が１の場合は下記一般式（１２）で表される化合物を表す。
【００７１】
【化１０】
0004648525.tif 000010
（一般式（９）におけるＲ41、Ｒ42、Ｒ43、Ｒ44、Ｒ45およびＸは、一般式（４）におけるＲ41、Ｒ42、Ｒ43、Ｒ44、Ｒ45およびＸと同一の基を示し、ａ２、ｄおよびｅも一般式（４）におけるａ２、ｄおよびｅと同一の整数である。）
【００７２】
【化１１】
0004648525.tif 000011
（一般式（１０）におけるＲ41、Ｒ42、Ｒ43、Ｒ44、Ｒ45、Ｘ、及びＺは、一般式（４）におけるＲ41、Ｒ42、Ｒ43、Ｒ44、Ｒ45、Ｘ、及びＺと同一の基を示し、ａ２、ｄおよびｅも一般式（４）におけるａ２、ｄおよびｅと同一の整数である。）
【００７３】
【化１２】
0004648525.tif 000012
（一般式（１１）におけるＲ41、Ｒ42、Ｒ43、Ｒ44、Ｒ45、Ｒ46およびＸは、一般式（４）におけるＲ41、Ｒ42、Ｒ43、Ｒ44、Ｒ45、Ｒ46およびＸと同一の基を示し、ａ２、ｄおよびｅも一般式（４）におけるａ２、ｄおよびｅと同一の整数である。）
【００７４】
【化１３】
0004648525.tif 000013
（一般式（１２）におけるＲ41、Ｒ42、Ｒ43、Ｒ44、Ｒ45、Ｒ46、Ｘ、及びＺは、一般式（４）におけるＲ41、Ｒ42、Ｒ43、Ｒ44、Ｒ45、Ｒ46、Ｘ、及びＺと同一の基を示し、ａ２、ｄおよびｅも一般式（４）におけるａ２、ｄおよびｅと同一の整数である。）
【００７５】
一般式（４）におけるｃは、０である場合が好ましい。
一般式（４）におけるｄは好ましくは１又は２、ｅは、好ましくは１又は２であって、かつｄ＋ｅは３であり、最も好ましくはｄ＝１かつｅ＝２である。
なお、一般式（４）で表されるポリエーテルアミンにおいて、ｄが２の場合は下記の一般式（１３）で表される基を１分子中に２個有するものであるが、この場合、それらの基は同一の構造であっても良く、また異なる構造であっても良い。
【００７６】
【化１４】
0004648525.tif 000014
（一般式（１３）におけるＲ41、Ｒ42、Ｒ43、Ｒ44、Ｒ45、Ｒ46およびＺは、一般式（４）におけるＲ41、Ｒ42、Ｒ43、Ｒ44、Ｒ45、Ｒ46およびＺと同一の基を示し、ａ２、ｂ２およびｃ２も、一般式（４）におけるａ２、ｂ２およびｃ２と同一の整数である。）
【００７７】
本発明の一般式（４）で表されるポリエーテルアミンにおいて、Ｘは下記のＢ群の中から選ばれる基を示す。
Ｂ群
Ｂ１：水素原子
Ｂ２：炭素数１〜３０の炭化水素基
Ｂ３：下記一般式（６）で表されるアルカノール基
−Ｒ54−ＯＨ                      （６）
（一般式（６）において、Ｒ54は炭素数１〜６のアルキレン基を示す。）
Ｂ４：下記一般式（７）で表される含窒素基
【００７８】
【化１５】
0004648525.tif 000015
（一般式（７）において、Ｒ55は炭素数２〜６のアルキレン基を示し、Ｒ56は水素原子、炭素数１〜４のアルキル基または上記一般式（６）で表される基を示し、Ｒ57は水素原子、炭素数１〜３０の炭化水素基または上記一般式（６）で表される基を示し、そしてｇは１〜５の整数を示す。）
Ｂ５：下記一般式（８）で表される基
【００７９】
【化１６】
0004648525.tif 000016
【００８０】
（一般式（８）において、Ｒ58は炭素数２〜６のアルキレン基を表し、Ｒ59、Ｒ60、Ｒ61及びＲ62は、それぞれ別個に水素原子、炭素数１〜１０の炭化水素基又は水酸基を表し、Ｙは、メチレン基、炭素数１〜１０の炭化水素基もしくは水酸基で置換されたイミノ基または酸素原子を表し、ｈは、ｅ＝１のとき１を表し、ｅ＝２のときは、０又は１を表す（但し、ｈ＝０のとき一般式（８）の中のＮ（窒素原子）は、一般式（４）の中の窒素原子に該当する。））
【００８１】
一般式（４）のＸ（Ｂ１〜Ｂ５）について詳述する。
上記Ｂ２の炭素数１〜３０の炭化水素基として好ましいものには、Ｒ1について先に説明した炭素数１〜２４の直鎖状または分枝状のアルキル基、炭素数５〜１３のシクロアルキル基またはアルキルシクロアルキル基、炭素数２〜２４の直鎖状または分枝状のアルケニル基、炭素数６〜１８のアリール基またはアルキルアリール基、炭素数７〜１９のアリールアルキル基などが包含される。
【００８２】
上記Ｂ２は、炭素数１〜１２の直鎖状もしくは分岐状のアルキル基、または炭素数６〜１２のアリール基もしくはアリールアルキル基であることがより好ましく、炭素数１〜６の直鎖状もしくは分岐状のアルキル基、フェニル基または炭素数７〜９のアリールアルキル基であることが特に好ましい。
【００８３】
上記Ｂ３のアルカノール基を表す一般式（６）において、Ｒ54は炭素数１〜６のアルキレン基を示すが、このようなアルキレン基としては、具体的にはＲ51、Ｒ52、Ｒ53として先に説明した基が挙げられる。これらの中でもＲ54は、炭素数１〜４のアルキレン基が好ましく、具体的には、メチレン基、エチレン基、プロピレン基（１−メチルエチレン基、２−メチルエチレン基）、トリメチレン基、ブチレン基（１−エチルエチレン基、２−エチルエチレン基）、１，２−ジメチルエチレン基、２，２−ジメチルエチレン基、１−メチルトリメチレン基、２−メチルトリメチレン基、３−メチルトリメチレン基、テトラメチレン基などが好ましい例として挙げることができる。Ｒ54は、炭素数１〜３のアルキレン基、具体的にはメチレン基、エチレン基、プロピレン基（１−メチルエチレン基、２−メチルエチレン基）又はトリメチレン基であることが特に好ましい。
【００８４】
上記Ｂ４の含窒素基を表す一般式（７）において、Ｒ55は、炭素数２〜６のアルキレン基を示すが、このようなアルキレン基としては、具体的にはＲ49として先に説明した基が挙げられる。これらの中でもＲ55は、炭素数２〜４のアルキレン基が好ましく、具体的には、エチレン基、プロピレン基（１−メチルエチレン基、２−メチルエチレン基）、トリメチレン基、ブチレン基（１−エチルエチレン基、２−エチルエチレン基）、１，２−ジメチルエチレン基、２，２−ジメチルエチレン基、１−メチルトリメチレン基、２−メチルトリメチレン基、３−メチルトリメチレン基、及びテトラメチレン基などが好ましい例として挙げることができる。更に好ましくは、炭素数２〜３のアルキレン基であり、具体的には、エチレン基、プロピレン基（１−メチルエチレン基、２−メチルエチレン基）及びトリメチレン基を挙げることができる。
【００８５】
一般式（７）におけるＲ56は、水素原子、炭素数１〜４のアルキル基または上記一般式（６）で表される基を示す。炭素数１〜４のアルキル基としては、具体的には例えば、メチル基、エチル基、ｎ−プロピル基、イソプロピル基、ｎ−ブチル基、イソブチル基、ｓｅｃ−ブチル基及びｔｅｒｔ−ブチル基などが挙げられる。Ｒ56は、好ましくは水素原子又は炭素数１〜３のアルキル基又は一般式（６）で表される基であり、水素原子、メチル基、エチル基又は一般式（６）で表される基であることが特に好ましい。
【００８６】
一般式（７）におけるＲ57は、水素原子、炭素数１〜３０の炭化水素基または上記一般式（６）で表される基を示す。ここで炭素数１〜３０の炭化水素基として好ましいものには、Ｒ41について先に説明した炭素数１〜２４の直鎖状または分枝状のアルキル基、炭素数５〜１３のシクロアルキル基またはアルキルシクロアルキル基、炭素数２〜２４の直鎖状または分枝状のアルケニル基、炭素数６〜１８のアリール基またはアルキルアリール基、炭素数７〜１９のアリールアルキル基などが包含される。
Ｒ57は、水素原子、炭素数１〜１２の直鎖状もしくは分岐状のアルキル基、炭素数６〜１２のアリール基もしくはアリールアルキル基、または一般式（６）で表される基がより好ましく、特に好ましくは、水素原子、炭素数１〜６の直鎖状もしくは分岐状のアルキル基、フェニル基、炭素数７〜９のアリールアルキル基または一般式（６）で表される基である。
一般式（７）におけるｇは、１〜５の整数を示し、好ましくは１〜４の整数であり、より好ましくは１〜３の整数である。
即ち、一般式（７）で表される基に含まれる下記の一般式（１４）で表される基は、下記の一般式（１５）で表される構成単位を１〜５個、好ましくは１〜４個、より好ましくは１〜３個有している。
【００８７】
【化１７】
0004648525.tif 000017
【００８８】
（一般式（１４）および（１５）におけるＲ55、Ｒ56およびgは、一般式（７）におけるＲ55、Ｒ56およびgと同一の基、整数を示す。）
従って、一般式（１４）で表される基は、一般式（１５）で表される構成単位が下記のように結合にして得られた基を表す。
（１）一般式（１５）で表される１種の構成単位を結合させたもの
（２）一般式（１５）に含まれる２種以上の異なる構成単位を、ランダムに結合させたもの、交互に結合させたものまたはブロック結合させたもの
【００８９】
Ｂ４の一般式（７）で表される含窒素基は、Ｒ55が炭素数２〜４のアルキレン基であり、Ｒ56が水素原子、炭素数１〜３のアルキル基または一般式（６）で表される基であり、Ｒ57が水素原子、炭素数１〜１２の直鎖状もしくは分岐状のアルキル基、炭素数６〜１２のアリール基もしくはアルキルアリール基または一般式（６）で表される基であり、かつｇが１〜４である場合が好ましく、Ｒ55がエチレン基、プロピレン基（１−メチルエチレン基、２−メチルエチレン基）またはトリメチレン基であり、Ｒ56が水素原子、メチル基、エチル基または一般式（６）で表される基であり、Ｒ57が水素原子、炭素数１〜６の直鎖状もしくは分岐状のアルキル基、フェニル基、炭素数７〜９のアルキルアリール基または一般式（６）で表される基であり、かつｇが１〜３である場合が最も好ましい。
【００９０】
上記Ｂ５の一般式（８）で表される基において、Ｒ58は炭素数２〜６のアルキレン基を示す。炭素数２〜６のアルキレン基としては、具体的にはＲ55として先に説明した基と同一の基が挙げられる。これらの中でもＲ58は、炭素数２〜４のアルキレン基が好ましく、具体的には、エチレン基、プロピレン基（１−メチルエチレン基、２−メチルエチレン基）、トリメチレン基、ブチレン基（１−エチルエチレン基、２−エチルエチレン基）、１，２−ジメチルエチレン基、２，２−ジメチルエチレン基、１−メチルトリメチレン基、２−メチルトリメチレン基、３−メチルトリメチレン基及びテトラメチレン基などを好ましい例として挙げることができる。更に好ましくは炭素数２〜３のアルキレン基であり、具体的には、エチレン基、プロピレン基（１−メチルエチレン基、２−メチルエチレン基）またはトリメチレン基を挙げることができる。
【００９１】
一般式（８）におけるＲ59、Ｒ60、Ｒ61およびＲ62は、それぞれ個別に水素原子、炭素数１〜１０の炭化水素基または水酸基を示す。炭素数１〜１０の炭化水素基としては、Ｒ7およびＲ8について先に説明した炭素数１〜１０の直鎖状または分枝状のアルキル基、炭素数２〜１０の直鎖状または分枝状のアルケニル基、炭素数５〜１０のシクロアルキル基またはアルキルシクロアルキル基、炭素数６〜１０のアリール基またはアルキルアリール基、炭素数７〜１０のアリールアルキル基などが挙げられる。
これらの中でも、Ｒ59、Ｒ60、Ｒ61およびＲ62がそれぞれ個別に水素原子、炭素数１〜６のアルキル基または水酸基である場合が好ましく、それぞれ個別に水素原子、炭素数１〜３のアルキル基または水酸基である場合がより好ましい。
【００９２】
一般式（８）におけるＹは、メチレン基、炭素数１〜１０の炭化水素基もしくは水酸基で置換されたメチレン基、無置換のイミノ基、炭素数１〜１０の炭化水素基もしくは水酸基で置換されたイミノ基または酸素を示す。炭素数１〜１０の炭化水素基としては、Ｒ7およびＲ8について先に説明した炭素数１〜１０の直鎖状または分枝状のアルキル基、炭素数２〜１０の直鎖状または分枝状のアルケニル基、炭素数５〜１０のシクロアルキル基またはアルキルシクロアルキル基、炭素数６〜１０のアリール基またはアルキルアリール基、炭素数７〜１０のアリールアルキル基などが挙げられるが、これらの中でも炭素数１〜６のアルキル基が好ましく、炭素数１〜３のアルキル基がより好ましい。
Ｙは、メチレン基、炭素数１〜６のアルキル基もしくは水酸基で置換されたメチレン基、無置換のイミノ基、炭素数１〜６のアルキル基もしくは水酸基で置換されたイミノ基または酸素原子である場合が好ましく、無置換のイミノ基、炭素数１〜３のアルキル基もしくは水酸基で置換されたイミノ基または酸素原子である場合が最も好ましい。
【００９３】
一般式（８）におけるｈは、一般式（４）においてｅ＝１の場合はｈ＝１であり、一般式（４）においてｅ＝２の場合はｈ＝０またはｈ＝１である。ただし、ｅ＝２かつｈ＝０の場合、一般式（８）中のＮ（窒素原子）は一般式（４）中のＮ（窒素原子）に相当する。すなわち、ｅ＝２かつｈ＝０の場合には、下記の一般式（１６）で表されるように、当該化合物に含まれるＮ（窒素原子）は一般式（８）の複素環を構成するＮ（窒素原子）に一致する。
【００９４】
【化１８】
0004648525.tif 000018
（一般式（１６）におけるＲ41、Ｒ42、Ｒ43、Ｒ44、Ｒ45、Ｒ46及びＺは、それぞれ一般式（４）におけるＲ41、Ｒ42、Ｒ43、Ｒ44、Ｒ45、Ｒ46及びＺと同一の基を示し、一般式（１６）におけるａ２、ｂ２及びｃ２は、それぞれ一般式（４）におけるａ２、ｂ２及びｃ２と同一の整数であり、一般式（１６）におけるＲ59、Ｒ60、Ｒ61、Ｒ62およびＹは、それぞれ一般式（８）におけるＲ59、Ｒ60、Ｒ61、Ｒ62およびＹと同一の基を表す。）
【００９５】
Ｂ５の一般式（８）で表される基は、好ましくは、Ｒ58が炭素数２〜４のアルキレン基であり、Ｒ59、Ｒ60、Ｒ61およびＲ62がそれぞれ個別に水素原子、炭素数１〜６のアルキル基または水酸基であり、Ｙがメチレン基、炭素数１〜６のアルキル基もしくは水酸基で置換されたメチレン基、無置換のイミノ基、炭素数１〜６のアルキル基もしくは水酸基で置換されたイミノ基または酸素原子であり、ｈがｅ＝１の場合はｈ＝１であり、ｅ＝２の場合はｈ＝０またはｈ＝１（ただしｈ＝０の場合、一般式（８）中のＮ（窒素原子）は一般式（４）中のＮ（窒素原子）でもある）である。より好ましくは、Ｒ58がエチレン基、プロピレン基（１−メチルエチレン基、２−メチルエチレン基）またはトリメチレン基であり、Ｒ59、Ｒ60、Ｒ61およびＲ62がそれぞれ個別に水素原子、炭素数１〜３のアルキル基または水酸基であり、Ｙが無置換のイミノ基、炭素数１〜３のアルキル基もしくは水酸基で置換されたイミノ基または酸素原子であり、ｈがｅ＝１の場合はｈ＝１であり、ｅ＝２の場合はｈ＝０またはｈ＝１（ただしｈ＝０の場合、一般式（８）中のＮ（窒素原子）は一般式（４）中のＮ（窒素原子）でもある）である。
【００９６】
一般式（４）のポリエーテルアミンにおいて、ＸはＢ１、Ｂ３またはＢ４であることが好ましい。なお、ｅ＝２の場合、すなわち、２個のＸが選ばれる場合、その二つは同種であっても異種であっても差し支えない。
【００９７】
本発明の一般式（４）で表されるポリエーテルアミンは、下記の構成であることが好ましい。
Ｒ41が、水素原子、炭素数１〜１２の直鎖状もしくは分枝状のアルキル基、又は炭素数６〜１８のアリール基もしくはアルキルアリール基であり、
Ｒ42、Ｒ43、Ｒ44およびＲ45が、それぞれ別個に水素原子、炭素数１〜８のアルキル基または一般式（５）で表される基であり、
一般式（５）では、Ｒ47及びＲ48がそれぞれ個別に水素原子、炭素数１〜６のアルキル基または炭素数２〜６のアルコキシアルキル基であり、Ｒ49が炭素数１〜６のアルキレン基又は総炭素数４〜８のアルコキシアルキル基置換エチレン基であり、Ｒ50が炭素数１〜２４のアルキル基であり、かつｆが０〜３０の整数であり、
Ｒ46が炭素数１〜６のアルキレン基であり、
ａ２が１〜２００の整数であり、ｂ２およびｃ２が各々個別に０または１であり、ｄが１又は２であり、ｅが１又は２であって、かつｄ＋ｅ＝３であり、
ＺがＡ群の中から選ばれる基であり、
Ｒ51、Ｒ52、及びＲ53がそれぞれ別個に炭素数１〜４のアルキレン基であり、
ＸがＢ群の中から選ばれる基であり、
Ｂ２は、炭素数１〜１２の直鎖状もしくは分枝状のアルキル基または炭素数６〜１２のアリール基もしくはアリールアルキル基であり、
Ｂ３の一般式（６）では、Ｒ54が炭素数１〜４のアルキレン基であり、
Ｂ４の一般式（７）では、Ｒ55が炭素数２〜４のアルキレン基であり、Ｒ56が水素原子、炭素数１〜３のアルキル基または一般式（６）で表される基であり、Ｒ57が水素原子、炭素数１〜１２の直鎖状または分岐状のアルキル基、炭素数６〜１２のアリール基もしくはアリールアルキル基、または一般式（６）で表される基であり、
そしてｇが１〜４の整数であり、
Ｂ５の一般式（８）では、Ｒ58が炭素数２〜４のアルキレン基であり、Ｒ59、Ｒ60、Ｒ61及びＲ62がそれぞれ別個に水素原子、炭素数１〜６のアルキル基もしくは水酸基で置換されたイミノ基または酸素原子であり、ｅ＝１の場合は、ｈ＝１であり、ｅ＝２の場合は、ｈ＝０又はｈ＝１である（但し、ｈ＝０の場合、一般式（８）のＮ（窒素原子）と一般式（４）のＮ（窒素原子）は一致する）。
【００９８】
本発明の一般式（４）で表されるポリエーテルアミンは、下記の構成であることがさらに好ましい。
Ｒ41が、水素原子、炭素数１〜６のアルキル基、フェニル基または炭素数７〜１５のアルキルアリール基であり、
Ｒ42、Ｒ43、Ｒ44およびＲ45が、それぞれ別個に水素原子、炭素数１〜３のアルキル基または一般式（５）で表される基であり、
一般式（５）では、Ｒ47およびＲ48がそれぞれ個別に水素原子または炭素数１〜３のアルキル基であり、Ｒ49が炭素数２〜４のアルキレン基であり、Ｒ50が炭素数１〜１２のアルキル基であり、かつｆが０〜２０の整数であり、
Ｒ46が炭素数１〜６のアルキレン基であり、
ａ２が２〜１００の整数であり、ｂ２およびｃ２が各々個別に０または１であり、ｄが１、ｅが２であり、
ＺがＡ１、Ａ２及びＡ４の中から選ばれる基であり、
Ｒ52が炭素数１〜３のアルキレン基であり、
ＸがＢ１、Ｂ３及びＢ４の中から選ばれる基であり、
Ｂ３の一般式（６）では、Ｒ54が炭素数１〜３のアルキレン基であり、
Ｂ４の一般式（７）では、Ｒ55が炭素数２〜３のアルキレン基であり、Ｒ56が水素原子、メチル基、エチル基または一般式（６）で表される基であり、Ｒ57が水素原子、炭素数１〜６の直鎖状または分岐状のアルキル基、フェニル基、炭素数７〜９のアリールアルキル基、または一般式（６）で表される基であり、
そしてｇが１〜３の整数である。
【００９９】
次に、ポリアルケニルアミンについて説明する。
ポリアルケニルアミンとは、１種類以上のアルキレン化合物を重合させたポリアルキレン化合物の末端をアミンで修飾した化合物である。
本発明のポリアルケニルアミン化合物を構成するポリアルキレン部分は、エチレン、プロピレン、ｎ−ブテン、２−ブテンおよびイソブテン、ペンテン（全ての異性体を含む）、ヘキセン（全ての異性体を含む）、ヘプテン（全ての異性体を含む）、オクテン（全ての異性体を含む）、デセン（全ての異性体を含む）、ドデセン（全ての異性体を含む）、テトラデセン（全ての異性体を含む）、及びヘキサデセン（全ての異性体を含む）の中から選ばれた１種のみを用いた単独重合体でもよく、２種以上を用いた共重合体であっても良い。共重合体は、ランダム共重合体、交互重合体、あるいはブロック共重合体であっても良い。
本発明においては、何れのアルキレンも使用可能であるが、より優れた清浄性を得ることができることから、ブテン（ｎ−ブテン、２−ブテンおよびイソブテン）を用いることが好ましい。
また、ポリアルケニルアミン化合物を構成するアミン部分の窒素原子には、水素原子の他、炭化水素基、アルカノール基等の含酸素基、アミノアルキル基等の含窒素基などが結合していてもよい。
【０１００】
本発明のポリアルケニルアミン化合物は、下記一般式（１７）で表されるポリブテニルアミン化合物であることが好ましい。
【０１０１】
【化１９】
0004648525.tif 000019
【０１０２】
（一般式（１７）において、Ａは、ｎ−ブチル基、ｓｅｃ−ブチル基またはｔｅｒｔ−ブチル基を示し、Ｒ70、Ｒ71、Ｒ72およびＲ73はそれぞれ別個に、水素原子、メチル基またはエチル基を示し、かつＲ70、Ｒ71、Ｒ72およびＲ73の合計炭素数が２であり、Ｂは下記式（１８）〜（２３）の何れかで表される基を示し、Ｒ74およびＲ75はそれぞれ別個に水素原子、炭素数１〜１０の炭化水素基、炭素数１〜８のアルカノール基または下記一般式（２４）で表される基を示し、そしてｍは１〜１００の整数を示す。）
【０１０３】
【化２０】
0004648525.tif 000020
【０１０４】
【化２１】
0004648525.tif 000021
（一般式（２４）において、Ｒ76は、炭素数２〜６のアルキレン基を示し、Ｒ77は水素原子または炭素数１〜４のアルキル基を示し、Ｒ78は水素原子または炭素数１〜３０の炭化水素基を示し、そしてｎは１〜５の整数を示す。）
【０１０５】
以下に一般式（１７）で表されるポリブテニルアミン化合物を詳述する。
Ａは、より優れた清浄性を得るために、ｔｅｒｔ−ブチル基であることが好ましい。
また、より優れた清浄性を得るために、Ｒ70およびＲ72が水素原子であり、かつＲ71およびＲ73がメチル基である場合、またはＲ70およびＲ72がメチル基であり、かつＲ71およびＲ73が水素原子である場合が好ましい。
なお、下記式（２５）で表される基は、下記式（２６）で表される基を構成単位とする、一般式（１７）で表されるポリブテニルアミン化合物の重合骨格を示すものである。
【０１０６】
【化２２】
0004648525.tif 000022
（上記式（２５）および（２６）におけるＲ70、Ｒ71、Ｒ72、Ｒ73およびｍは、一般式（１７）におけるＲ70、Ｒ71、Ｒ72、Ｒ73およびｍと同一の基、整数を示す。）
【０１０７】
上記式（１７）および（２５）において、上記式（２６）で表されるｍ個の基は同一分子中で同じでも異なっていてもよい。つまり、上記式（１７）で表される化合物および上記式（２５）で表される基は、単独重合体であっても、共重合体であっても良い。共重合体は、ランダム共重合体であっても、交互重合体であっても、ブロック共重合体であっても良い。
【０１０８】
Ｂは、より優れた清浄性を得るために、式（１８）または式（２２）で表される基であることが好ましく、式（２２）で表される基であることがより好ましい。
【０１０９】
Ｒ74およびＲ75は、それぞれ別個に水素原子、炭素数１〜１０の炭化水素基、炭素数１〜８のアルカノール基または上記一般式（２４）で表される基を示す。
Ｒ74およびＲ75で表される炭素数１〜１０の炭化水素基としては、例えば、炭素数１〜１０の直鎖状または分枝状のアルキル基、炭素数５〜１０のシクロアルキル基またはアルキルシクロアルキル基、炭素数２〜１０の直鎖状または分枝状のアルケニル基、炭素数６〜１０のアリール基またはアルキルアリール基、炭素数７〜１０のアリールアルキル基が挙げられる。
【０１１０】
炭素数１〜１０のアルキル基としては、具体的には例えば、メチル基、エチル基、ｎ−プロピル基、イソプロピル基、ｎ−ブチル基、イソブチル基、ｓｅｃ−ブチル基、ｔｅｒｔ−ブチル基、直鎖または分枝ペンチル基、直鎖または分枝ヘキシル基、直鎖または分枝ヘプチル基、直鎖または分枝オクチル基、直鎖または分枝ノニル基、及び直鎖または分枝デシル基などが挙げられる。
【０１１１】
炭素数５〜１０のシクロアルキル基またはアルキルシクロアルキル基としては、具体的には例えば、シクロペンチル基、シクロヘキシル基、シクロヘプチル基、メチルシクロペンチル基、ジメチルシクロペンチル基（すべての置換異性体を含む）、エチルシクロペンチル基（すべての置換異性体を含む）、直鎖または分枝プロピルシクロペンチル基（すべての置換異性体を含む）、エチルメチルシクロペンチル基（すべての置換異性体を含む）、トリメチルシクロペンチル基（すべての置換異性体を含む）、ジエチルシクロペンチル基（すべての置換異性体を含む）、エチルジメチルシクロペンチル基（すべての置換異性体を含む）、直鎖または分枝プロピルメチルシクロペンチル基（すべての置換異性体を含む）、直鎖または分枝プロピルエチルシクロペンチル基（すべての置換異性体を含む）、メチルシクロヘキシル基（すべての置換異性体を含む）、ジメチルシクロヘキシル基（すべての置換異性体を含む）、エチルシクロヘキシル基（すべての置換異性体を含む）、直鎖または分枝プロピルシクロヘキシル基（すべての置換異性体を含む）、エチルメチルシクロヘキシル基（すべての置換異性体を含む）、トリメチルシクロヘキシル基（すべての置換異性体を含む）、ジエチルシクロヘキシル基（すべての置換異性体を含む）、エチルジメチルシクロヘキシル基（すべての置換異性体を含む）、直鎖または分枝プロピルメチルシクロヘキシル基（すべての置換異性体を含む）、メチルシクロヘプチル基（すべての置換異性体を含む）、ジメチルシクロヘプチル基（すべての置換異性体を含む）、エチルシクロヘプチル基（すべての置換異性体を含む）、直鎖または分枝プロピルシクロヘプチル基（すべての置換異性体を含む）、エチルメチルシクロヘプチル基（すべての置換異性体を含む）、及びトリメチルシクロヘプチル基（すべての置換異性体を含む）などが挙げられる。
【０１１２】
炭素数２〜１０のアルケニル基としては、具体的には例えば、エテニル基、ｎ−プロペニル基、イソプロペニル基、ｎ−ブテニル基、イソブテニル基、ｓｅｃ−ブテニル基、ｔｅｒｔ−ブテニル基、直鎖または分枝ペンテニル基、直鎖または分枝ヘキセニル基、直鎖または分枝ヘプテニル基、直鎖または分枝オクテニル基、直鎖または分枝ノネニル基、及び直鎖または分枝デセニル基などが挙げられる。
【０１１３】
炭素数６〜１０のアリール基またはアルキルアリール基としては、例えば、フェニル基、トリル基（すべての置換異性体を含む）、キシリル基（すべての置換異性体を含む）、エチルフェニル基（すべての置換異性体を含む）、直鎖または分枝プロピルフェニル基（すべての置換異性体を含む）、エチルメチルフェニル基（すべての置換異性体を含む）、トリメチルフェニル基（すべての置換異性体を含む）、直鎖または分枝ブチルフェニル基  （すべての置換異性体を含む）、直鎖または分枝プロピルメチルフェニル基（すべての置換異性体を含む）、ジエチルフェニル基（すべての置換異性体を含む）、エチルジメチルフェニル基（すべての置換異性体を含む）、及びテトラメチルフェニル基（すべての置換異性体を含む）などが挙げられる。
【０１１４】
炭素数７〜１０のアルキルアリール基としては、具体的には例えば、ベンジル基、メチルベンジル基（すべての置換異性体を含む）、ジメチルベンジル基（すべての置換異性体を含む）、フェネチル基、メチルフェネチル基（すべての置換異性体を含む）、及びジメチルフェネチル基（すべての置換異性体を含む）などが挙げられる。
【０１１５】
Ｒ74およびＲ75で表される炭素数１〜８のアルカノール基としては、具体的には例えば、ヒドロキシメチル基、ヒドロキシエチル基、直鎖または分枝ヒドロキシプロピル基、直鎖または分枝ヒドロキシブチル基、直鎖または分枝ヒドロキシペンチル基、直鎖または分枝ヒドロキシヘキシル基、直鎖または分枝ヒドロキシヘプチル基、直鎖または分枝ヒドロキシオクチル基、直鎖または分枝ヒドロキシノニル基、及び直鎖または分枝ヒドロキシデシル基等が挙げられる。
【０１１６】
一般式（２４）で表される基を説明する。
Ｒ76で表される炭素数２〜６のアルキレン基は、前記一般式（７）のＲ55で表される基と同じ基を挙げることができる。即ち、Ｒ76は、Ｒ49として先に説明した基が挙げられ、好ましくは、炭素数２〜４のアルキレン基である。
具体的には、エチレン基、プロピレン基（１−メチルエチレン基、２−メチルエチレン基）、トリメチレン基、ブチレン基（１−エチルエチレン基、２−エチルエチレン基）、１，２−ジメチルエチレン基、２，２−ジメチルエチレン基、１−メチルトリメチレン基、２−メチルトリメチレン基、３−メチルトリメチレン基およびテトラメチレン基などが好ましい例として挙げることができる。さらに好ましくは、炭素数２〜３のアルキレン基であり、具体的には、エチレン基、プロピレン基（１−メチルエチレン基、２−メチルエチレン基）およびトリメチレン基を挙げることができる。
【０１１７】
Ｒ77で表される炭素数１〜４のアルキレン基は、前記一般式（７）のＲ56で表される炭素数１〜４のアルキル基と同じ基を挙げることができる。即ち、Ｒ77で表される炭素数１〜４のアルキル基としては、具体的には例えば、メチル基、エチル基、ｎ−プロピル基、イソプロピル基、ｎ−ブチル基、イソブチル基、ｓｅｃ−ブチル基、およびｔｅｒｔ−ブチル基などが挙げられる。Ｒ77は、好ましくは水素原子または炭素数１〜３のアルキル基であり、水素原子、メチル基またはエチル基であることが特に好ましい。
【０１１８】
Ｒ78で表される炭素数１〜３０の炭化水素基は、前記一般式（７）のＲ57で表される炭素数１〜３０の炭化水素基と同じ基を挙げることができる。すなわち、Ｒ78で表される炭素数１〜３０の炭化水素基として好ましいものには、Ｒ41について先に説明した炭素数１〜２４の直鎖状または分枝状のアルキル基、炭素数５〜１３のシクロアルキル基またはアルキルシクロアルキル基、炭素数２〜２４の直鎖状または分枝状のアルケニル基、炭素数６〜１８のアリール基またはアルキルアリール基、炭素数７〜１９のアリールアルキル基などが包含される。
Ｒ78は、水素原子、炭素数１〜１２の直鎖状もしくは分岐状のアルキル基、または炭素数６〜１２のアリール基もしくはアリールアルキル基がより好ましく、特に好ましくは、水素原子、炭素数１〜６の直鎖状もしくは分岐状のアルキル基、フェニル基、炭素数７〜９のアリールアルキル基である。
【０１１９】
一般式（２４）におけるｎは、１〜５の整数を示し、好ましくは１〜４の整数であり、より好ましくは１〜３の整数である。
なお、一般式（２４）で表される基は、構成単位（−Ｒ76Ｎ（Ｒ77）−）が、一種からなるものであってもよいし、あるいは二種以上からなるものであってもよい。そして、二種以上の構成単位からなる場合には、それらの構成単位はランダム結合、交互結合、あるいはブロック結合のいずれの結合形態もとることができる。
【０１２０】
Ｒ74およびＲ75は、より優れた清浄性を得るために、それぞれ別個に水素原子または一般式（２４）で表される基であることが好ましい。
【０１２１】
一般式（１７）において、ｍはガソリン中への分散性保持、清浄性保持の点から、１以上であることが必要であり、５以上であることが好ましく、１０以上であることがより好ましい。また粘度上昇によるバルブスティックや熱分解性悪化による燃焼室デポジットへの影響の点から、１００以下であることが必要であり、５０以下であることが好ましく、４０以下であることがより好ましい。
ポリアルケニルアミンは、一般式（１７）で表される１種のみの化合物を単独で用いてもよく、構造の異なる２種以上の化合物の混合物を用いてもよい。
また、ポリアルケニルアミンの数平均分子量は何ら制限はないが、ガソリン中への分散性保持、清浄性保持の点から、２００以上であることが好ましく、４００以上であることがより好ましく、７００以上であることが特に好ましい。また、粘度上昇によるバルブスティックや熱分解性悪化による燃焼室デポジットへの影響の点から、６０００以下であることが好ましく、３０００以下であることがより好ましく、２４００以下であることが特に好ましい。
【０１２２】
本発明の錆止め剤、金属不活性化剤、酸化防止剤、アミン系清浄分散剤を含有してなる燃料油組成物において、各添加剤の添加量（含有量）は、特に限定されないが、通常は燃料油組成物全量基準で、各々０．０００１質量％〜１質量％の範囲である。
【０１２３】
錆止め剤、金属不活性化剤及び酸化防止剤の含有量は各々燃料油組成物全量基準で下記の通りであることが好ましい。
錆止め剤は、タンクや配管、ポンプ等の金属部材の酸化劣化を長期間防ぐために０．０００５質量％以上の含有量で添加することが好ましく、更に好ましくは、０．００１質量％以上であり、特に好ましくは０．００１５質量％以上であり、最も好ましくは、０．００２質量％以上である。一方、燃料油（特にガソリン）の諸性能に悪影響を及ぼさない、添加剤同士が反応し、不溶分が沈殿しない、それ以上添加しても効果の向上が期待できないなどの点から０．５質量％以下の含有量で添加することが好ましく、更に好ましくは０．１質量％以下であり、特に好ましくは０．０５質量％以下である。
【０１２４】
金属不活性化剤は、燃料油（特にガソリン）の酸化劣化を長期間防ぐために０．０００５質量％以上の含有量で添加することが好ましく、更に好ましくは、０．００１質量％以上であり、特に好ましくは、０．００１５質量％以上であり、最も好ましくは０．００２質量％以上である。一方、上記と同様な理由から、０．５質量％以下の含有量で添加することが好ましく、更に好ましくは０．１質量％以下であり、特に好ましくは０．０５質量％以下である。
【０１２５】
酸化防止剤は、燃料油（特にガソリン）の酸化劣化を長期間防ぐために０．００５質量％以上の含有量で添加することが好ましく、更に好ましくは、０．００８質量％以上であり、特に好ましくは０．０１質量％以上であり、最も好ましくは０．０１２質量％以上である。一方、上記と同様な理由から、０．５質量％以下の含有量で添加することが好ましく、更に好ましくは０．３質量％以下であり、特に好ましくは０．１質量％以下である。
【０１２６】
アミン系清浄分散剤は、特にガソリン組成物においては、ガソリンエンジンにおける吸気系および燃焼室内の清浄性を向上させるために該組成物全量基準で０．００５質量％以上の含有量で添加することが好ましく、更に好ましくは０．００８質量％以上であり、特に好ましくは０．０１質量％以上であり、最も好ましくは０．０１２質量％以上である。一方、ガソリンの諸性能に悪影響を及ぼさない、添加剤同士が反応し、不溶分が沈殿しない、それ以上添加しても効果の向上が期待できないなどの点から０．５質量％以下の含有量で添加することが好ましく、更に好ましくは０．３質量％以下であり、特に好ましくは０．１質量％以下である。
【０１２７】
本発明の燃料油組成物においては、特に酸化防止剤が比較的他の成分より多く含まれる系において特に有効である。酸化防止剤は、錆止め剤に対して好ましくは、２〜３０質量倍、更に好ましくは２．５〜２０質量倍、特に好ましくは３〜１５質量倍の量を添加することが好ましい。また酸化防止剤は、金属不活性化剤に対して好ましくは、１．５〜２５質量倍、更に好ましくは２〜２０質量倍、特に好ましくは２．５〜１５質量倍の量を添加することが好ましい。酸化防止剤は、清浄分散剤に対して好ましくは、１．０〜５質量倍、更に好ましくは１．１〜４質量倍、特に好ましくは１．２〜３質量倍の量を添加することが好ましい。更に酸化防止剤は、全添加剤の添加量のうち、３０〜７０質量％となる量を添加することが好ましく、更に好ましくは、３５〜６０質量％、特に好ましくは４０〜５５質量％となる量を添加することが好ましい。
【０１２８】
本発明の燃料油組成物を構成する燃料油は、ガソリン、軽油のいずれでもよいが、特にガソリンを用いる場合に有利であり、以下ではガソリン組成物について説明する。
ベースガソリンは、従来周知の任意の方法で製造することができる。ガソリン基材としては、具体的には例えば、原油を常圧蒸留して得られる軽質ナフサ；接触分解法、水素化分解法等で得られる分解ガソリン；接触改質法で得られる改質ガソリン；オレフィンの重合によって得られる重合ガソリン；イソブタン等の炭化水素に低級オレフィンを付加（アルキル化）することによって得られるアルキレート；軽質ナフサを異性化装置でイソパラフィンに転化して得られる異性化ガソリン；脱ｎ−パラフィン油；ブタン；芳香族炭化水素化合物；及びプロピレンを二量化し、続いてこれを水素化して得られるパラフィン留分等が挙げられる。
【０１２９】
典型的な配合例を示すと、無鉛ガソリンは、例えば、
（１）改質ガソリン：０〜７０容量％
（２）改質ガソリンの軽質留分（沸点範囲：２５〜１２０℃程度）：０〜３５容量％
（３）改質ガソリンの重質留分（沸点範囲：１１０℃〜２００℃程度）：０〜４５容量％
（４）分解ガソリン：０〜５０容量％
（５）分解ガソリンの軽質留分（沸点範囲：２５〜９０℃程度）：０〜４５容量％
（６）分解ガソリンの重質留分（沸点範囲：９０〜２００℃程度）：０〜４０容量％
（７）アルキレート：０〜４０容量％
（８）プロピレンを二量化し、続いてこれを水素化して得られるパラフィン留分：０〜３０容量％
（９）異性化ガソリン：０〜３０容量％
（１０）ＭＴＢＥ：０〜１５容量％
（１１）軽質ナフサ：０〜２０容量％
（１２）ブタン：０〜１０容量％
を調合することによって得ることができる。
【０１３０】
また、ベースガソリンを製造するにあたっては、ベンゼンの含有量を低減させる必要がある場合がある。その際のベンゼンの低減方法は特に限定されず任意であるが、特にベンゼンは改質ガソリン中に多く含まれていることから、改質ガソリンの配合割合を少なくすること、及び
（１）改質ガソリンを蒸留してベンゼン留分を除去する、
（２）改質ガソリン中のベンゼンをスルホラン等の溶剤を用いて抽出する、
（３）改質ガソリン中のベンゼンを他の化合物に転化する、
（Ａ）ベンゼンを水素化しシクロヘキサン、メチルシクロペンタン等に転化する、
（Ｂ）ベンゼン及び炭素数９以上の芳香族炭化水素化合物とを反応させ、トルエン、キシレン、エチルベンゼン等に転化する、
（Ｃ）ベンゼンを低級オレフィン（エチレン、プロピレン等）又は低級アルコール（メタノール、エタノール等）を用いてアルキル化する、
（４）接触改質装置の原料として、炭素数６の炭化水素化合物を蒸留して除去した脱硫重質ナフサを用いる、
（５）接触改質装置の運転条件を変更する、
等の方法によって、改質ガソリン中のベンゼン濃度を低下させる処理を行なった改質ガソリンを用いることが好ましい。
【０１３１】
また、本発明のガソリン組成物においては、本発明で用いる添加剤以外の添加剤を併用することができる。
その他（本発明で用いる添加剤以外）のガソリン添加剤としては、具体的には例えば、有機リン系化合物等の表面着火防止剤；多価アルコール及びそのエーテル等の氷結防止剤；有機酸のアルカリ金属塩又はアルカリ土類金属塩、高級アルコール硫酸エステル等の助燃剤；アニオン系界面活性剤、カチオン系界面活性剤、両性界面活性剤等の帯電防止剤；アゾ染料等の着色剤；キリザニン、クマリン等の識別剤；及びエステルなどの天然精油合成香料等の着臭剤等が挙げられる。これらの添加剤は、１種又は２種以上を添加することができ、その合計添加量はガソリン組成物全量基準で０．１質量％以下とすることが好ましい。
【０１３２】
また、ベースガソリン、本発明で用いる添加剤及び必要に応じてその他のガソリン添加剤からなるガソリン組成物の性状、組成については、特に制限されない。しかしながら、ＪＩＳ  Ｋ  ２２５４「石油製品−蒸留試験方法」によって測定される蒸留性状は、下記の通りであることが望ましい。
蒸留初留点                ：２０〜４５℃
１０容量％留出温度（Ｔ10）：３５〜５５℃
３０容量％留出温度（Ｔ30）：５５〜７５℃
５０容量％留出温度（Ｔ50）：７５〜１００℃
７０容量％留出温度（Ｔ70）：１００〜１３０℃
９０容量％留出温度（Ｔ90）：１１０〜１６０℃
蒸留終点                  ：１３０〜２１０℃
【０１３３】
初留点の下限値は好ましくは２０℃、より好ましくは２５℃である。２０℃に満たない場合には高温条件下で始動性が悪化する可能性がある。一方、初留点の上限値は好ましくは４５℃、より好ましくは４０℃、さらにより好ましくは３５℃である。４５℃を超える場合には低温始動性に不具合を生じる可能性がある。
Ｔ10の下限値は好ましくは３５℃、より好ましくは４０℃である。３５℃に満たない場合には高温条件下で始動性が悪化する可能性がある。一方、Ｔ10の上限値は好ましくは５５℃、より好ましくは５０℃、さらにより好ましくは４８℃である。５５℃を超える場合には低温始動性に不具合を生じる可能性がある。
Ｔ30の下限値は好ましくは５５℃、より好ましくは６０℃である。５５℃に満たない場合には高温運転性に不具合を生じたりインジェクタ内でガソリンのコーキングを生じたりする可能性がある。一方、Ｔ30の上限値は好ましくは７５℃、より好ましくは７０℃、さらにより好ましくは６８℃である。７５℃を超える場合には低温運転性に不具合を生じる可能性がある。
Ｔ50の下限値は好ましくは７５℃、より好ましくは８０℃である。７５℃に満たない場合には高温運転性に不具合を生じる可能性がある。一方、Ｔ50の上限値は好ましくは１００℃、より好ましくは９５℃、更により好ましくは９３℃である。１００℃を超える場合には低温及び常温運転性に不具合を生じる可能性がある。
Ｔ70の下限値は１００℃であることが好ましい。一方、Ｔ70の上限値は好ましくは１３０℃、より好ましくは１２５℃、更により好ましくは１２３℃、最も好ましくは１２０℃である。１３０℃を越える場合には低温及び常温運転性に不具合を生じる可能性がある。
Ｔ90の下限値は好ましくは１１０℃、より好ましくは１２０℃である。１１０℃に満たない場合は燃費が低下する可能性がある。一方、Ｔ90の上限値は、低温及び常温運転性の悪化、排出ガスの増加、エンジンオイルの劣化およびスラッジの発生を抑制することができるなどの点から、好ましくは１６０℃、より好ましくは１５０℃、更により好ましくは１４０℃である。
蒸留終点の下限値は１３０℃であることが好ましい。一方、蒸留終点の上限値は、好ましくは２１０℃、より好ましくは２００℃、更により好ましくは１９５℃、最も好ましくは１９０℃である。終点が２１０℃を越える場合には常温運転性に不具合を生じる可能性がある。
【０１３４】
また、上記ガソリン組成物の蒸気圧には特に制限はないが、インジェクタ内でのガソリンコーキングの不具合が生じることがなく、またエバポエミッションの量が抑えられることから、蒸気圧は７０ｋＰａ以下が好ましく、より好ましくは６５ｋＰａ以下、さらにより好ましくは６０ｋＰａ以下、最も好ましくは５５ｋＰａ以下である。ここで蒸気圧とは、ＪＩＳ  Ｋ  ２２５８「原油及び燃料油蒸気圧試験方法（リ−ド法）」により測定される蒸気圧（リード蒸気圧（ＲＶＰ）を意味する。
上記ガソリン組成物の密度（１５℃）には特に制限はないが、０．７３〜０．７７ｇ／ｃｍ3であることが望ましい。密度の下限値は燃費の点からより好ましくは０．７３５ｇ／ｃｍ3である。一方、密度の上限値は加速性及びプラグのくすぶりの観点からより好ましくは０．７６ｇ／ｃｍ3である。ここで密度とは、ＪＩＳ  Ｋ  ２２４９「原油及び石油製品の密度試験方法並びに密度・質量・容量換算表」により測定される密度を意味する。
上記ガソリン組成物は、四エチル鉛等のアルキル鉛化合物を実質的に含有しないガソリンであり、たとえ極微量の鉛化合物を含有する場合であっても、その含有量はＪＩＳ  Ｋ  ２２５５「ガソリン中の鉛分試験方法」の適用区分下限値以下である。
【０１３５】
上記ガソリン組成物のオクタン価には特に制限はないが、よりアンチノッキング性を高めるため、リサーチ法オクタン価（ＲＯＮ）は８９以上であることが好ましく、より好ましくは９０以上、さらにより好ましくは９０．５以上、最も好ましくは９１以上である。また、より高速走行中のアンチノック性を高めるために、モーター法オクタン価（ＭＯＮ）は８０以上であることが好ましく、より好ましくは８０．５以上、最も好ましくは８１以上である。ここでリサーチ法オクタン価及びモーター法オクタン価とは、それぞれ、ＪＩＳ  Ｋ  ２２８０「オクタン価及びセタン価試験方法」により測定されるリサーチ法オクタン価及びモーター法オクタン価をそれぞれ意味する。
上記ガソリン組成物において、飽和分、オレフィン分及び芳香族分の各含有量については特に制限はないが、下記の割合であることが望ましい。
飽和分（Ｖ（Ｐ））      ：５０〜１００容量％
オレフィン分（Ｖ（Ｏ））：０〜１５容量％
芳香族分（Ｖ（Ａｒ））  ：０〜３５容量％
Ｖ（Ｐ）は、インジェクタ内でのガソリンのコーキング防止、及びプラグのくすぶりを低減させる、排出ガスのオゾン生成能を低く抑える、排出ガス中のベンゼン濃度を低減させる、すすを発生させない等の観点から、その値は、より好ましくは６０〜１００容量％、さらにより好ましくは７０〜１００容量％であり、最も好ましくは７５〜１００質量％である。
また、Ｖ（Ｏ）は、インジェクタ内でのガソリンのコーキング防止の観点からより好ましくは０〜１０容量％、さらにより好ましくは０〜７容量％、最も好ましくは０〜５容量％である。
さらに、Ｖ（Ａｒ）は、プラグのくすぶりを低減させる、排出ガスのオゾン生成能を低く抑える、排出ガス中のベンゼン濃度を低減させる、すすを発生させない等の観点からより好ましくは０〜３０容量％、さらにより好ましくは０〜２５容量％、最も好ましくは０〜２０容量％である。
上記のＶ（Ｐ）、Ｖ（Ｏ）及びＶ（Ａｒ）は、全てＪＩＳ  Ｋ  ２５３６「石油製品−炭化水素タイプ試験方法」の蛍光指示薬吸着法により測定される値である。
【０１３６】
また、上記ガソリン組成物の各成分の含有量には特に制限はないが、以下のような条件を満たすことが望ましい。
(1) Ｖ（Ｂｚ）：０〜１容量％
(2) Ｖ（Ｔｏｌ）：０〜３０容量％
(3) Ｖ（Ｃ８Ａ）：０〜２０容量％
(4) Ｖ（Ｃ９Ａ）：０〜５容量％
(5) Ｖ（Ｃ１０＋Ａ）：０〜３容量％
(6) Ｖ（ＰＡ）＝０
又は
Ｖ（ＰＡ）≠０の際にＶ（ＭＡ）／Ｖ（ＰＡ）：１以上
(7) Ｖ（Ｃ４）：０〜１０容量％
(8) Ｖ（Ｃ５）：１０〜３５容量％
(9) Ｖ（Ｃ６）：１０〜３０容量％
(10)Ｖ（Ｃ７＋ｐ）：１０〜５０容量％
(11)Ｖ（Ｃ９＋）：０〜１０容量％
上記のＶ（Ｂｚ）は、ガソリン組成物全量基準のベンゼン含有量を示し、上記の範囲とすることで、排出ガス中のベンゼン濃度を低く抑えることができる。その値は、好ましくは、０〜１容量％であり、より好ましくは０〜０．５容量％である。
上記のＶ（Ｔｏｌ）及びＶ（Ｃ８Ａ）は、それぞれガソリン組成物全量基準 のトルエン含有量及び炭素数８の芳香族炭化水素化合物含有量を示し、Ｖ（Ｔｏｌ）の値は、好ましくは０〜３０容量％であり、より好ましくは０〜２０容量％、Ｖ（Ｃ８Ａ）の値は、好ましくは０〜２０容量％であり、より好ましくは０〜１５容量％である。なお、炭素数８の芳香族炭化水素化合物としては、エチルベンゼン及びキシレン（全ての置換異性体を含む）等が挙げられる。
上記のＶ（Ｃ９Ａ）は、ガソリン組成物全量基準の炭素数９の芳香族炭化水素化合物含有量を示し、排出ガスのオゾン生成能を低く抑えるために、その値は、好ましくは０〜５容量％であり、より好ましくは０〜３容量％である。炭素数９の芳香族炭化水素としては、例えば、ｎ−プロピルベンゼン、イソプロピルベンゼン（クメン）、エチルメチルベンゼン（全ての置換異性体を含む）及びトリメチルベンゼン（全ての置換異性体を含む）等が挙げられる。
【０１３７】
上記のＶ（Ｃ１０＋Ａ）は、ガソリン組成物全量基準の炭素数１０以上の芳香族炭化水素化合物含有量を示し、排出ガスのオゾン生成能を低く抑えるために、その量が好ましくは０〜３容量％であり、より好ましくは０〜１容量％、最も好ましくは０容量％である。炭素数１０以上の芳香族炭化水素化合物としては、例えば、ジエチルベンゼン（全ての置換異性体を含む）、ジメチルエチルベンゼン（全ての置換異性体を含む）、テトラメチルベンゼン（全ての置換異性体を含む）及びｎ−ブチルメチルベンゼン（全ての置換異性体を含む）等が挙げられる。
上記のＶ（ＭＡ）及びＶ（ＰＡ）は、それぞれガソリン組成物全量を基準としたモノアルキル置換芳香族炭化水素化合物含有量（容量％）及び２つ以上のアルキル基で置換された芳香族炭化水素化合物含有量（容量％）を示すが、本発明にあってはＶ（ＰＡ）が０であるか、又はＶ（ＰＡ）が０でない場合は、前者の含有量と後者の含有量の比、Ｖ（ＭＡ）／Ｖ（ＰＡ）の値は、好ましくは１以上、より好ましくは１．５以上、更により好ましくは２以上に維持されることである。
なお、上記したＶ（Ｂｚ）、Ｖ（Ｔｏｌ）、Ｖ（Ｃ８Ａ）、Ｖ（Ｃ９Ａ）、Ｖ（Ｃ１０＋Ａ）、Ｖ（ＭＡ）及びＶ（ＰＡ）は、いずれもＪＩＳ  Ｋ  ２５３６ 「石油製品−炭化水素タイプ試験方法」のガスクロマトグラフ法で定量して得られる値である。
上記のＶ（Ｃ４）は、ガソリン組成物全量を基準とした炭素数４の炭化水素化合物含有量を示す。エバポエミッションの量をより低く抑えられる点から、Ｖ（Ｃ４）の値は好ましくは０〜１０容量％であり、より好ましくは０〜５容量％、更により好ましくは０〜３容量％である。炭素数４の炭化水素化合物としては、例えば、ｎ−ブタン、２−メチルブタン（イソブタン）、１−ブテン、２−ブテン及び２−メチルプロペン等が挙げられる。
上記のＶ（Ｃ５）は、ガソリン全量を基準とした炭素数５の脂肪族炭化水素化合物含有量を示し、その下限値は好ましくは１０容量％、より好ましくは１５容量％、上限値は好ましくは３５容量％、より好ましくは３０容量％である。炭素数５の脂肪族炭化水素化合物の含有量を１０容量％以上にすることで、常温運転性により優れたガソリン組成物が得られる。また、これを３５容量％以下にすることで高温運転性により優れたガソリン組成物が得られる。そして、インジェクタ内でのガソリンのコーキング防止の観点から、炭素数５の脂肪族炭化水素化合物の中の不飽和炭化水素化合物の含有量（Ｖ（Ｃ５ｏ））（容量％）は０であるか、あるいは炭素数５の脂肪族炭化水素化合物の中の飽和炭化水素化合物の含有量（Ｖ（Ｃ５ｐ））（容量％）とＶ（Ｃ５ｏ）との比、すなわち、Ｖ（Ｃ５ｐ）／Ｖ（Ｃ５ｏ）の値は好ましくは１以上、より好ましくは１．５以上、さらにより好ましくは２以上、最も好ましくは３以上である。炭素数５の飽和脂肪族炭化水素化合物としては、例えば、ｎ−ペンタン、２−メチルブタン（イソペンタン）、２，２−ジメチルプロパン（ネオペンタン）等が挙げられ、同じく不飽和脂肪族炭化水素化合物としては、１−ペンテン、２−ペンテン、２−メチル−１−ブテン、２−メチル−２−ブテン及び３−メチル−１−ブテン等が挙げられる。
【０１３８】
上記のＶ（Ｃ６）は、ガソリン組成物全量を基準とした炭素数６の脂肪族炭化水素化合物の含有量を示し、その下限値は好ましくは１０容量％、より好ましくは１５容量％であり、上限値は好ましくは３０容量％であり、より好ましくは２５容量％である。炭素数６の脂肪族炭化水素化合物の含有量を１０容量％以上にすることで、常温運転性により優れたガソリン組成物が得られる。また、これを３０容量％以下にすることで高温運転性により優れたガソリン組成物が得られる。そして、インジェクタ内でのガソリンのコーキング防止の観点から、炭素数６の脂肪族炭化水素化合物の中の飽和炭化水素化合物の含有量（Ｖ（Ｃ６ｏ））（容量％）が０であるか、或るいは炭素数６の脂肪族炭化水素化合物の中の飽和炭化水素化合物の含有量（Ｖ（Ｃ６ｐ））（容量％）とＶ（Ｃ６ｏ）との比、すなわち、Ｖ（Ｃ６ｐ）／Ｖ（Ｃ６ｏ）の値は好ましくは２以上、より好ましくは３以上、さらにより好ましくは５以上、最も好ましくは１０以上である。炭素数６の飽和脂肪族炭化水素化合物としては、例えば、ｎ−ヘキサン、２−メチルペンタン、３−メチルペンタン、２，２−ジメチルブタン、２，３−ジメチルブタン等が挙げられ、同じく不飽和脂肪族炭化水素化合物としては、例えば、１−ヘキセン、２−ヘキセン、３−ヘキセン、２−メチル−１−ペンテン、３−メチル−１−ペンテン、４−メチル−１−ペンテン、２−メチル−２−ペンテン、３−メチル−２−ペンテン、４−メチル−２−ペンテン、２，３−ジメチル−１−ブテン、３，３−ジメチル−１−ブテン及び２，３−ジメチル−２−ブテン等が挙げられる。
【０１３９】
上記のＶ（Ｃ７＋ｐ）は、ガソリン組成物全量を基準とした炭素数７以上の飽和脂肪族炭化水素化合物の含有量を示し、その下限値は好ましくは１０容量％であり、より好ましくは２０容量％である。上限値は好ましくは５０容量％であり、より好ましくは４５容量％である。炭素数７以上の飽和脂肪族炭化水素化合物の含有量を１０容量％以上にすることで、常温運転性により優れたガソリン組成物が得られ、これを５０容量％以下にすることで高温運転性により優れたガソリン組成物が得られる。炭素数７以上の飽和脂肪族炭化水素化合物としては、例えば、ｎ−ヘプタン、２−メチルヘキサン、３−メチルヘキサン、２，２−ジメチルペンタン、２，３−ジメチルペンタン、２，４−ジメチルペンタン、３，３−ジメチルペンタン、３−エチルペンタン及び２，２，３−トリメチルブタン等が挙げられる。
上記Ｖ（Ｃ９＋）は、ガソリン組成物全量を基準とした炭素数９以上の炭化水素化合物の含有量を示し、低温及び常温運転性の点から、またエンジンオイルのガソリン希釈を低減させ、排出ガスの増加、エンジンオイルの劣化及びスラッジ発生を防止できること等から、この値が好ましくは０〜１０容量％であり、より好ましくは０〜５容量％であり、さらにより好ましくは０容量％である。
なお、上記したＶ（Ｃ４）、Ｖ（Ｃ５）、Ｖ（Ｃ５ｐ）、Ｖ（Ｃ５ｏ）、Ｖ（Ｃ６）、Ｖ（Ｃ６ｐ）、Ｖ（Ｃ６ｏ）、Ｖ（Ｃ７＋ｐ）及びＶ（Ｃ９＋）は、以下に示すガスクロマトグラフィー法により定量される値を意味する。すなわち、カラムにはメチルシリコンのキャピラリーカラム、キャリアガスにはヘリウム又は窒素を、検出器には水素イオン化検出器（ＦＩＤ）を用い、カラム長２５〜５０ｍ、キャリアガス流量０．５〜１．５ｍＬ／分、分割比１：５０〜１：２５０、注入口温度１５０〜２５０℃、初期カラム温度−１０〜１０℃、終期カラム温度１５０〜２５０℃、及び検出器温度１５０〜２５０℃の条件で測定した値である。
【０１４０】
上記ガソリン組成物において含酸素化合物の含有量は特に制限はないが、ガソリン組成物全量基準で酸素元素換算で好ましくは０〜２．７質量％、より好ましくは０〜２．０質量％である。含有量が２．７質量％を越える場合は、ガソリン組成物の燃費が悪化し、また排出ガス中のＮＯｘが増加する可能性がある。
ここで含酸素化合物とは、炭素数２〜４のアルコール類、炭素数４〜８のエーテル類等を意味する。本発明に係るガソリン組成物に配合可能な含酸素化合物としては、例えば、エタノール、メチルターシャリーブチルエーテル（ＭＴＢＥ）、エチルターシャリーブチルエーテル、ターシャリーアミルメチルエーテル（ＴＡＭＥ）及びターシャリーアミルエチルエーテル等が挙げられ、これらの中でもＭＴＢＥ及びＴＡＭＥが好ましく、最も好ましくはＭＴＢＥである。なお、メタノールは排出ガス中のアルデヒド濃度が高くなる可能性があり、腐食性もあるので好ましくない。
上記ガソリン組成物において硫黄分含有量は特に制限はないが、ガソリン組成物全量基準で、好ましく５０ppm以下、より好ましくは３０ppm以下、さらにより好ましくは２０ppm以下、最も好ましくは１０ppm以下である。硫黄分含有量が５０ppmを越える場合、排出ガス処理触媒の性能に悪影響を及ぼし、排出ガス中のＮＯｘ、ＣＯ、ＨＣの濃度が高くなる可能性があり、またベンゼンの排出量も増加する可能性がある。ここで硫黄分とは、ＪＩＳ  Ｋ  ２５４１「原油及び石油製品−硫黄分試験方法」により測定される硫黄分を意味する。
【０１４１】
上記ガソリン組成物は、ＪＩＳ  Ｋ  ２２６１「石油製品−自動車ガソリン及び航空燃料油−実在ガム試験方法−噴射蒸発法」により測定した未洗実在ガムの含有量が、一般に２０ｍｇ／１００ｍＬ以下であって、洗浄実在ガムの含有量が一般に３ｍｇ／１００ｍＬ以下であり、好ましくは１ｍｇ／１００ｍＬ以下である。未洗実在ガム及び洗浄実在ガムが上記の値を超えた場合は、燃料導入系統において析出物が生成したり、吸入弁が膠着する心配がある。
上記ガソリン組成物の、ＪＩＳ  Ｋ  ２２７９「原油及び石油製品−発熱量試験方法及び計算による推定方法」により測定した総発熱量は、一般に４００００Ｊ／ｇ以上、好ましくは４５０００Ｊ／ｇ以上である。
さらに、上記ガソリン組成物は、灯油混入量は４容量％以下であることが望ましい。ここで、灯油混入量とはガソリン組成物全量基準での炭素数１３〜１４の炭化水素含有量（容量％）を表し、この量は以下に示すガスクロマトグラフィー法により定量して得られるものである。すなわち、カラムにはメチルシリコンのキャピラリーカラム、キャリアガスにはヘリウム又は窒素を、検出器には水素イオン化検出器（ＦＩＤ）を用い、カラム長２５〜５０ｍ、キャリアガス流量０．５〜１．５ｍＬ／分、分割比１：５０〜１：２５０、注入口温度１５０〜２５０℃、初期カラム温度−１０〜１０℃、終期カラム温度１５０〜２５０℃、検出器温度１５０〜２５０℃の条件で測定した値である。
【０１４２】
【実施例】
以下に本発明の実施例を説明するが、これらの実施例は本発明を限定するものではない。
【０１４３】
基材ガソリンの調製
接触改質ガソリン６０容量部、接触分解ガソリン２５容量部、アルキレート１０容量部及び軽質ナフサ５容量部を混合して下記の性状を有する基材ガソリン（内燃機関用ガソリン）を調製した。
基材ガソリン性状
リード蒸気圧：６３．７ｋＰａ(０．６５ｋｇｆ/ｃｍ2)
比        重：０．７２８
沸点範囲    ：３０〜１９０℃
オクタン価  ：９８．２
【０１４４】
[実施例１]
上記基材ガソリンに、錆止め剤としてテトラプロペニルコハク酸誘導体（ハーフエステル７０質量％、テトラプロペニルコハク酸（一般式（２））１５質量％）を５０質量ppm、金属不活性化剤としてＮ，Ｎ´−ジサリチリデン−１，２−ジアミノプロパンを７０質量ppm、酸化防止剤として２，６−ジ−ｔｅｒｔ−ブチル−４−メチルフェノールを３００質量ppm、アミン系清浄分散剤として下記式で表されるポリエーテルアミンを２００質量ppm添加し、本発明に従うガソリン組成物（サンプル１）を調製した。
【０１４５】
【化２３】
0004648525.tif 000023
【０１４６】
[実施例２]
実施例１において、錆止め剤としてテトラプロペニルコハク酸誘導体（ハーフエステル８５質量％、テトラプロペニルコハク酸（一般式（２））３質量％）を１００質量ppm、及び金属不活性化剤としてＮ，Ｎ´−ジサリチリデン−１，２−ジアミノプロパンを１００質量ppm用いたこと以外は同様にして本発明に従うガソリン組成物（サンプル２）を調製した。
【０１４７】
[実施例３]
実施例１において、錆止め剤としてテトラプロペニルコハク酸誘導体（ハーフエステル５０質量％、テトラプロペニルコハク酸（一般式（２））４５質量％）を用いたこと以外は同様にして本発明に従うガソリン組成物（サンプル３）を調製した。
【０１４８】
[比較例１]
実施例３において、錆止め剤としてテトラプロペニルコハク酸誘導体（ハーフエステル５０質量％、テトラプロペニルコハク酸（一般式（２））４５質量％）を１００質量ppm用い、金属不活性化剤を用いなかったこと以外は同様にして比較用のガソリン組成物（比較サンプル１）を調製した。
【０１４９】
[比較例２]
上記基材ガソリンに錆止め剤としてテトラプロペニルコハク酸（一般式（２））１００質量％、ハーフエステル０質量％）を５０質量ppm、金属不活性化剤としてＮ，Ｎ´−ジサリチリデン−１，２−ジアミノプロパンを７０質量ppm、、酸化防止剤として２，６−ジ−ｔｅｒｔ−ブチル−４−メチルフェノールを３００質量ppm添加し、比較用のガソリン組成物（比較サンプル２）を調製した。
【０１５０】
[比較例３]
実施例３において、酸化防止剤としてＮ−イソプロピル−ｐ−フェニレンジアミンを３００質量ppm用いたこと以外は同様にして比較用のガソリン組成物（比較サンプル３）を調製した。
【０１５１】
[比較例４]
上記基材ガソリンに錆止め剤としてテトラプロペニルコハク酸のジエステル（１００質量％、ハーフエステル０質量％、テトラプロペニルコハク酸（一般式（２）０質量％）を１００質量ppm、金属不活性化剤としてＮ，Ｎ´−ジサリチリデン−１，２−ジアミノプロパンを７０質量ppm、、酸化防止剤として２，６−ジ−ｔｅｒｔ−ブチル−４−メチルフェノールを３００質量ppm添加し、比較用のガソリン組成物（比較サンプル４）を調製した。
【０１５２】
得られ実施例及び比較例のガソリン組成物について下記の（１）〜（４）に示す試験を実施し、評価した。評価結果を表１に示す。
（１）錆止め性能試験
ＪＩＳ Ｋ ２５１０に規定された試験装置および試験片を用意し、試験温度を５０±１℃にしたこと以外は、同方法に準拠し、作業を行い、錆の有無を確認した。
【０１５３】
（２）酸化安定度試験
ＪＩＳ Ｋ ２２８７に準拠し、酸化安定度試験を行った。
【０１５４】
（３）沈殿物生成試験
サンプル１０Ｌおよび蒸留水２ｍＬを耐圧容器に入れ、６０℃で５時間攪拌した。これを０℃で２４時間貯蔵した後、再びよく攪拌し、目開き０．２μｍのメンブランフィルターを用いてろ過し、析出物をフィルターに捕集した。容器内をヘキサンで３回洗浄し、同様にろ過し、フィルターに捕集した。フィルターを乾燥後、秤量し、ガソリンに不溶な析出物量を求めた。
また、この析出物を塩酸で分解した後、質量スペクトルを測定したところ、テトラプロペニルコハク酸および１，２−プロパンジアミン（比較例３では、テトラプロペニルコハク酸、１，２−プロパンジアミン及びＮ―イソプロピル−ｐ−フェニレンジアミン）に由来するフラグメントが観測された。
【０１５５】
（４）吸気系デポジット清浄性試験
上記の各ガソリン組成物に対して以下に示すエンジン評価試験を行った。評価は、添加剤を添加しない基材ガソリンのみを使用した場合（基材ガソリン１００質量％）の評価を基準に行った。
【０１５６】
［エンジン評価試験］
総排気量２０００ｍｌの燃料インジェクター式エンジンを装備した乗用車を使用し、以下に示す１サイクル１時間の走行モードを２００時間繰り返した後、エンジンを分解して吸気弁に付着したデポジット量を測定し、基材ガソリンのみを用いた場合のデポジット量との変化量（差）を吸気系デポジット清浄性の評価とした。なお、評価に使用したエンジンは、各試験前に分解し、燃焼室内、吸気系内のデポジットを完全に除去した後、重量を測定した新品の吸気バルブ、排気バルブ、点火プラグを装着、組み付け、新品のエンジンオイルを充填してから試験を行った。
【０１５７】
0004648525.tif 000024
【０１５８】
【表１】
0004648525.tif 000025
【０１５９】
表１の結果から明らかなように、本発明の燃料油組成物は、燃料や部材の酸化劣化安定性および吸気系デポジットの清浄性に優れ、また錆や腐食も生じることがなく、かつ添加剤同士の反応により生成するガソリンに不溶な沈殿物の生成が極めて少ない。
これに対して、金属不活性化剤を添加しない比較サンプル１では、酸化安定性が劣っている。錆止め剤がアルケニルコハク酸のみかなる比較サンプル２では、該コハク酸と金属不活性化剤との反応によりガソリンに不溶な沈殿物が大量に生成している。またフェノール系酸化防止剤に変えて、アミン系の酸化防止剤を使用した比較サンプル３では、沈殿物の生成が多くなることがわかる。更に錆止め剤がジエステルのみからなる比較サンプル４では錆が発生した。
【０１６０】
【発明の効果】
一般式（１）で表される錆止め剤、サリチリデン誘導体（金属不活性化剤）、フェノール系酸化防止剤、及びアミン系清浄剤分散剤を含有してなる本発明の燃料油組成物は、混合した個々の添加剤の性能が低下することなく、維持されており、かつ燃料油に対する不溶分も殆ど生成することがなく、長期間の酸化劣化防止機能に優れている。特に本発明の組成物は、上記の添加剤を含む系において酸化防止剤を比較的多く用いるガソリン組成物として用いる場合に有利である。